(57)【要約】【課題】閃光源から発生した光を有効に被写体に与えることができ、撮影に支障をきたすことなくストロボ光の色温度調整が可能なストロボ装置を提供することである。【解決手段】閃光源１２と反射鏡１３とを有し、該閃光源１２の発する閃光及び該閃光の前記反射鏡１３による反射光が前方向に出射するようにしたストロボ装置であって、前記反射鏡１３の反射面の色分布を変える色分布可変機構（１６、１７、１８、１９）を有する構成となる。【選択図】  図２
2010197614.tif 000002
【特許請求の範囲】
【請求項１】
閃光源と反射鏡とを有し、該閃光源の発する閃光及び該閃光の前記反射鏡による反射光が前方向に出射するようにしたストロボ装置であって、
前記反射鏡の反射面の色分布を変える色分布可変機構を有するストロボ装置。
【請求項２】
前記反射鏡は、第１反射鏡部分と、該第１反射鏡部分の裏面側に配置される第２反射鏡部分とを備え、
前記第１反射鏡部分には、孔部が形成され、
前記第２反射鏡部分には、所定の色で着色される着色部が形成され、
前記色分布可変機構は、前記第１反射鏡部分及び前記第２反射鏡部分を相対移動させる反射鏡移動機構を有し、
前記反射鏡移動機構により、前記第１反射鏡部分の前記孔部から露出する前記着色部の面積を変化させることにより前記反射鏡の反射面の色分布を変えるようにした請求項１記載のストロボ装置。
【請求項３】
前記反射鏡移動機構は、固定された前記第１反射鏡部分に対して、前記第２反射鏡部分を移動させるようにした請求項２記載のストロボ装置。
【請求項４】
前記第２反射鏡部分の前記着色部には、前記閃光源からの閃光を拡散反射させるための加工が施されている請求項２または３のいずれか記載のストロボ装置。
【請求項５】
前記第１反射鏡部分には、所定の規則に従って配列される複数の孔部が形成され、
前記第２反射鏡部分には、前記複数の孔部に対応する複数の着色部が形成され、
前記反射鏡移動機構により、前記第１反射鏡部分の前記複数の孔部のそれぞれから露出する対応した着色部の面積を変化させる請求項２乃至４のいずれか記載のストロボ装置。
【請求項６】
前記第２反射鏡部分には、異なる色で着色された複数の着色部が形成されている請求項５記載のストロボ装置。
【請求項７】
前記複数の着色部は、第１の色に着色された第１着色部と、前記第１の色より反射光の色温度を高くさせる第２の色に着色された第２着色部とを含む請求項６記載のストロボ装置。
【請求項８】
前記第１の色は赤色系の所定色であり、前記第２の色は緑色系の所定色である請求項７記載のストロボ装置。
【請求項９】
前記反射鏡移動機構は、前記第１反射鏡部分及び第２反射鏡部分を相対的に直線移動させ、
前記第２反射鏡部分に形成される前記第１着色部及び前記第２着色部は、前記第１反射鏡部分に形成された前記複数の孔部のそれぞれに割当てられると共に、その割当てられる孔部の前記直線移動の方向の幅以上の間隔をもって当該直線移動の方向に配列され、
前記第１着色部及び第２着色部それぞれの前記直線移動の方向の幅は、それらが割当てられる孔部の前記直線移動の方向の幅以上である請求項６または７記載のストロボ装置。
【請求項１０】
色温度を表わす色温度情報を生成する色温度情報生成手段と、
前記反射鏡の反射面の色分布が、前記色温度情報生成手段にて得られる色温度情報にて特定される色温度対応した色分布となるよう前記色分布可変機構を動作させる動作制御手段とを有する請求項１乃至９のいずれかに記載のストロボ装置。
【請求項１１】
色温度を表わす色温度情報を生成する色温度情報生成手段と、
前記第１反射鏡部分の前記孔部から露出する前記第２反射鏡部分の着色部の面積が、前記反射鏡の反射面の色分布が、前記色温度情報生成手段にて得られる色温度情報にて特定される色温度に対応した色分布になる大きさになるように前記反射鏡移動機構を動作させる動作制御手段とを有する請求項２記載のストロボ装置。
【請求項１２】
前記動作制御手段は、前記第１反射鏡部分及び前記第２反射鏡部分の相対位置を検出する相対位置検出手段を有し、
該相対位置検出手段にて検出される相対位置にて、前記第１反射鏡部分の前記孔部から露出する前記第２反射鏡部分の着色部の面積が前記色温度情報にて特定される色温度に対応した色分布になる大きさになるように前記反射鏡移動機構を動作させる請求項１１記載のストロボ装置。
【請求項１３】
前記色温度情報生成手段は、当該ストロボ装置の周囲の光の色温度を検出する色温度検出手段を有し、
該色温度検出手段にて検出された色温度を表わす色温度情報を生成する請求項１０乃至１２のいずれかに記載のストロボ装置。
【請求項１４】
前記閃光源の前方にレンズが配置され、前記閃光源及び前記反射鏡を、前記レンズを通した出射光の広がりが最も大きくなる第１の状態と、前記出射光の広がりが最も小さくなる第２の状態との間で駆動させるズーム機構を更に有し、
前記ズーム機構は、前記閃光源及び前記反射鏡が第１の状態及び第２の状態のいずれか一方に達した後に、前記閃光源及び前記反射鏡の動きに寄与することなく、所定の動きを行う追加動作機構部を含み、
前記追加動作機構部と前記色分布可変機構とに結合した伝達機構を有し、
前記ズーム機構における前記追加動作機構部の動きによる動力が、前記伝達機構を介して前記色分布可変機構に伝わり、該色分布可変機構が前記反射鏡の反射面の色分布を変える請求項１記載のストロボ装置。
【請求項１５】
前記追加動作機構部は、前記ズーム機構の動力を受けるとともに前記伝達機構に結合する動作部材と、
前記閃光源及び前記反射鏡が前記第１の状態と前記第２の状態との間で駆動している際に、前記動作部材をロックし、前記閃光源及び前記反射鏡が前記第１の状態及び前記第２の状態のいずれかに達した後に、前記ロック状態を解除するロック機構とを有し、
ロック解除のなされた前記動作部材が前記ズーム機構の動力を受けて前記所定の動きを行うようにした請求項１４記載のストロボ装置。
【請求項１６】
前記閃光源と前記反射鏡とを保持する保持部を有するとともに、
前記保持部の前方にレンズが配置され、前記保持部が前記レンズに最も近づく第１の位置と、前記レンズから最も遠ざかる第２の位置との間で進退動させるズーム機構を有し、
前記ズーム機構は、前記保持部が前記第１の位置及び第２の位置のいずれか一方に達した後に、前記保持部の動きに寄与することなく、所定の動きを行う追加動作機構部を含み、
該追加動作機構部と前記反射鏡移動機構とに結合する伝達機構を有し、
前記ズーム機構における前記追加動作機構部の動きによる動力が、前記伝達機構を介して前記反射鏡移動機構に伝わり、該反射鏡移動機構が前記第１反射鏡部分と前記第２反射鏡部分を相対移動させるようにした請求項２記載のストロボ装置。
【請求項１７】
前記追加動作機構部は、前記ズーム機構の動力を受ける動作部材と、
前記保持部が前記第１の位置と前記第２の位置との間で進退動している際に、前記動作部材をロックし、前記保持部が前記第１の位置及び前記第２の位置のいずれかに達した後に、前記ロック状態を解除するロック機構とを有し、
ロック解除のなされた前記動作部材が前記ズーム機構の動力をうけて前記所定の動きを行うようにした請求項１６記載のストロボ装置。
【発明の詳細な説明】
【技術分野】
【０００１】
本発明は、ストロボ光の色温度調節の機能を有するストロボ装置に関する。
【背景技術】
【０００２】
写真撮影において、被写体に向けて照射される光の色合いは、日中の太陽光と同じ色合いになるのが望ましいとされ、また、その色合いの指標として色温度が使われている。太陽光は５，５００Ｋの色温度を有し、ストロボ装置の光もおおよそ太陽光と同じ５，５００Ｋの色温度を有しているのが一般的である。しかし写真撮影の際、周囲の色温度がストロボ光（太陽光）の色温度と大きく異なっていることは多々あり、そのような場合、再生された画像、及びプリントされた写真は色再現性が悪くなることが多い。
【０００３】
ところで、このようなプリントにおける色再現の精度を高めるため、従来、ストロボ光の色温度調節の機能を有するストロボ装置が提案されている。例えば、発光窓とストロボ放電管との間に光の波長吸収特性の異なる複数のシート状のフィルタを用意し、このフィルタを切替えることで、ストロボ光の色温度調整を可能にしたストロボ装置（特許文献１参照）がある。また、２つのキセノン管の前方に異なる色特性のフィルタを設けるとともに各キセノン管と対応するフィルタとの間に濃度調整可能な液晶を設け、液晶の濃度を調整して２つのキセノン管から発せられてフィルタを透過する異なる色の光の量を調整することにより、それらの光が混合されたストロボ光の色温度を調整するようにしたストロボ装置（特許文献２参照）がある。
【先行技術文献】
【特許文献】
【０００４】
【特許文献１】特開２０００−２８４３４７
【特許文献２】特開平７−１２０８１６
【発明の概要】
【発明が解決しようとする課題】
【０００５】
しかし、前述した前者のストロボ装置（特許文献１）は、カメラに内蔵するような比較的エネルギー量の小さいストロボでは実現可能であるにしても、カメラと別体となってカメラに装着して使用する大エネルギーで動作するタイプにはむいていない。ストロボ発光窓の近傍は、光源（キセノン放電管）に近いため、また反射鏡で反射した光が一度集光するため、光束密度が著しく高い場所である。その結果、ストロボ光に含まれる赤外線によって発光窓の近傍は高温度になり、プラスチックシートなどで作られた色温度変換フィルタも高温度になる。特に色温度変換フィルタに汚れ等が付着すると汚れが赤外線によって発熱し、色温度変換フィルタが損傷しまう場合もある。この高い耐熱性が要求される色温度変換フィルタを実現することが難しい。
【０００６】
また、後者のストロボ装置（特許文献２）では、２つのキセノン放電管が設けられるために、高価になるばかりか、ストロボ装置が大型になる。さらに、異なった位置に配置されたキセノン放電管から放射された２つの光は、異なる２つの影を作ってしまい、特に被写体が近接している場合、ストロボ装置から発せられる色温度の異なった２つのストロボ光により異なった２つの影が現れる等、撮影に悪影響を与え得る。また、各キセノン放電管の前方にはフィルタと濃度調整のなされる液晶が配置されるため、前述した従来のストロボ装置と同様に、そのフィルタ及び液晶が熱破損するおそれがある。
【０００７】
本発明は、このような事情に鑑みてなされたもので、各部が熱破損することなく有効にストロボ光の色温度調整が可能となるストロボ装置を提供するものである。
【課題を解決するための手段】
【０００８】
本発明に係るストロボ装置は、閃光源と反射鏡とを有し、該閃光源の発する閃光及び該閃光の前記反射鏡による反射光が前方向に出射するようにしたストロボ装置であって、前記反射鏡の反射面の色分布を変える色分布可変機構を有する構成となる。
【０００９】
このような構成により、反射鏡の反射面の色分布が変えられるので、閃光源から発せられた閃光の前記反射鏡の反射面での反射光の色温度を当該色分布に応じて変えることができる。従って、色変換フィルタ等を用いることなく、前記反射光の色温度を変えることによりその反射光を含む出射光（ストロボ光）の色温度を調整することができる。
【００１０】
本発明に係るストロボ装置において、前記反射鏡は、第１反射鏡部分と、該第１反射鏡部分の裏面側に配置される第２反射鏡部分とを備え、前記第１反射鏡部分には、孔部が形成され、前記第２反射鏡部分には、所定の色で着色される着色部が形成され、前記色分布可変機構は、前記第１反射鏡部分及び前記第２反射鏡部分を相対移動させる反射鏡移動機構を有し、前記反射鏡移動機構により、前記第１反射鏡部分の前記孔部から露出する前記着色部の面積を変化させることにより前記反射鏡の反射面の色分布を変えるように構成することができる。
【００１１】
このような構成により、第１反射鏡部分と第２反射鏡部分とを相対移動させて、第１反射鏡部分に形成された孔部から露出する第２反射鏡部分の着色部の面積を変化させることにより反射鏡の反射面の色分布を変えることができるので、前記第１反射鏡部分と第２反射鏡部分との相対移動させることにより、出射光の色温度を調整することができる。
【００１２】
また、本発明に係るストロボ装置において、前記反射鏡移動機構は、固定された前記第１反射鏡部分に対して、前記第２反射鏡部分を移動させるようにした構成とすることができる。
【００１３】
このような構成により、第２反射鏡部分を移動させて反射鏡の反射面の色分布を変えることにより、出射光の色温度を調整することができる。
【００１４】
また、本発明に係るストロボ装置において、前記第２反射鏡部分の前記着色部には、前記閃光源からの閃光を拡散反射させるための加工が施されている構成とすることができる。
【００１５】
このような構成により、着色部での反射光が拡散されるようになるので、色温度のより均一となる光を出射することができるようになる。
【００１６】
更に、前記第１反射鏡部分には、所定の規則に従って配列される複数の孔部が形成され、前記第２反射鏡部分には、前記複数の孔部に対応する複数の着色部が形成され、前記反射鏡移動機構により、前記第１反射鏡部分の前記複数の孔部のそれぞれから露出する対応した着色部の面積を変化させる構成とすることができる。
【００１７】
このような構成により、第１反射鏡部分と第２反射鏡部分とを相対移動させることにより、第１反射鏡部分に形成された複数の孔部のそれぞれから露出する第２反射鏡部分の着色部の面積を変化させて、反射鏡の反射面の色分布を変えることができる。
【００１８】
また、本発明に係るストロボ装置において、前記第２反射鏡部分には、異なる色で着色された複数の着色部が形成されている構成とすることができる。
【００１９】
このような構成により、第１反射鏡部分に形成された孔部から複数の着色部が露出し得るようになるので、より広範囲の色温度調整が可能になる。
【００２０】
更に、本発明に係るストロボ装置において、前記複数の着色部は、第１の色に着色された第１着色部と、前記第１の色より反射光の色温度を高くさせる第２の色に着色された第２着色部とを含む構成とすることができる。
【００２１】
このような構成により、第１反射鏡部分に形成された孔部から露出する第２反射鏡部分の第１の色の着色部の面積を調整することによって第１の色に基づいた色分布を変えることができるとともに、前記孔部から露出する第２の色の着色部の面積を調整することによって第２の色に基づいた色分布を変えることができるので、より広範囲の色温度調整が可能となる。
【００２２】
前記第１の色は赤色系の所定色とし、前記第２の色は緑色系の所定色とすることができる。
【００２３】
また、本発明に係るストロボ装置において、前記反射鏡移動機構は、前記第１反射鏡部分及び第２反射鏡部分を相対的に直線移動させ、前記第２反射鏡部分に形成される前記第１着色部及び前記第２着色部は、前記第１反射鏡部分に形成された前記複数の孔部のそれぞれに割当てられると共に、その割当てられる孔部の前記直線移動の方向の幅以上の間隔をもって当該直線移動の方向に配列され、前記第１着色部及び第２着色部それぞれの前記直線移動の方向の幅は、それらが割当てられる孔部の前記直線移動の方向の幅以上であるように構成することができる。
【００２４】
このような構成により、第１反射鏡部分と第２反射鏡部分とを相対的に直線移動させることにより、第１反射鏡部分に形成された複数の孔のそれぞれから露出する第２反射鏡部分の第１着色部の面積をゼロからその孔全体まで連続的に変化させることがきるとともに、第１反射鏡部分に形成された複数の孔のそれぞれから露出する第２反射鏡部分の第２着色部の面積をゼロからその孔全体まで連続的に変化させることがきる。
【００２５】
更に、本発明に係るストロボ装置において、色温度を表わす色温度情報を生成する色温度情報生成手段と、前記反射鏡の反射面の色分布が、前記色温度情報生成手段にて得られる色温度情報にて特定される色温度対応した色分布となるよう前記色分布可変機構を動作させる動作制御手段とを有する構成とすることができる。
【００２６】
このような構成により、反射鏡の反射面の色分布が、生成された色温度情報にて特定される色温度に対応した色分布となるように制御されるので、前記生成された色温度情報にて特定される色温度の光を出射することができるようになる。
【００２７】
また、本発明に係るストロボ装置において、色温度を表わす色温度情報を生成する色温度情報生成手段と、前記第１反射鏡部分の前記孔部から露出する前記第２反射鏡部分の着色部の面積が、前記反射鏡の反射面の色分布が、前記色温度情報生成手段にて得られる色温度情報にて特定される色温度に対応した色分布になる大きさになるように前記反射鏡移動機構を動作させる動作制御手段とを有する構成とすることができる。
【００２８】
このような構成により、第１反射鏡部分の孔部から露出する第２反射鏡部分の着色部の面積が、反射鏡の反射面の色分布が生成された色情報にて特定される色温度に対応した色分布になる大きさに制御されるので、前記生成された色温度情報にて特定される色温度の光を出射することができるようになる。
【００２９】
また、本発明に係るストロボ装置において、前記動作制御手段は、前記第１反射鏡部分及び前記第２反射鏡部分の相対位置を検出する相対位置検出手段を有し、該相対位置検出手段にて検出される相対位置にて、前記第１反射鏡部分の前記孔部から露出する前記第２反射鏡部分の着色部の面積が前記色温度情報にて特定される色温度に対応した色分布になる大きさになるように前記反射鏡移動機構を動作させる構成とすることができる。
【００３０】
このような構成により、第１反射鏡部分と第２反射鏡部分との相対位置に対応付けて出射光の色温度を調整することができるようになる。
【００３１】
更に、本発明に係るストロボ装置において、前記色温度情報生成手段は、当該ストロボ装置の周囲の光の色温度を検出する色温度検出手段を有し、該色温度検出手段にて検出された色温度を表わす色温度情報を生成するように構成することができる。
【００３２】
このような構成により、周囲の光の色温度と同程度の色温度の光を出射することができるようになる。
【００３３】
また、本発明に係るストロボ装置において、前記閃光源の前方にレンズが配置され、前記閃光源及び前記反射鏡を、前記レンズを通した出射光の広がりが最も大きくなる第１の状態と、前記出射光の広がりが最も小さくなる第２の状態との間で駆動させるズーム機構を更に有し、前記ズーム機構は、前記閃光源及び前記反射鏡が第１の状態及び第２の状態のいずれか一方に達した後に、前記閃光源及び前記反射鏡の動きに寄与することなく、所定の動きを行う追加動作機構部を含み、前記追加動作機構部と前記色分布可変機構とに結合した伝達機構を有し、前記ズーム機構における前記追加動作機構部の動きによる動力が、前記伝達機構を介して前記色分布可変機構に伝わり、該色分布可変機構が前記反射鏡の反射面の色分布を変える構成とすることができる。
【００３４】
このような構成により、閃光源及び反射鏡が出射光の広がりが最も大きくなる第１の状態及び出射光の広がりが最も小さくなる第２の状態のいずれかに達した後に、ズーム機構の追加動作機構部が所定の動作を行い、その動作が伝達機構を介して色分布可変機構に伝達することにより、反射鏡における反射面の色分布が変えられる。
【００３５】
本発明に係るストロボ装置において、前記追加動作機構部は、前記ズーム機構の動力を受けるとともに前記伝達機構に結合する動作部材と、前記閃光源及び前記反射鏡が前記第１の状態と前記第２の状態との間で駆動している際に、前記動作部材をロックし、前記閃光源及び前記反射鏡が前記第１の状態及び前記第２の状態のいずれかに達した後に、前記ロック状態を解除するロック機構とを有し、ロック解除のなされた前記動作部材が前記ズーム機構の動力を受けて前記所定の動きを行うように構成することができる。
【００３６】
このような構成により、閃光源及び反射鏡が第１の状態と第２の状態との間で駆動している際には追加動作機構部の動作部材はズーム機構内でロックされており、前記閃光源及び前記反射鏡が第１の状態及び第２の状態のいずれかに達した後に、前記動作部材は、そのロックが解除されて所定の動きを行う。そして、この動作部材の所定の動作が伝達機構を介して色分布可変機構に伝達することにより、反射鏡における反射面の色分布が変えられる。
【００３７】
更に、本発明に係るストロボ装置において、前記閃光源と前記反射鏡とを保持する保持部を有するとともに、前記保持部の前方にレンズが配置され、前記保持部が前記レンズに最も近づく第１の位置と、前記レンズから最も遠ざかる第２の位置との間で進退動させるズーム機構を有し、前記ズーム機構は、前記保持部が前記第１の位置及び第２の位置のいずれか一方に達した後に、前記保持部の動きに寄与することなく、所定の動きを行う追加動作機構部を含み、該追加動作機構部と前記反射鏡移動機構とに結合する伝達機構を有し、前記ズーム機構における前記追加動作機構部の動きによる動力が、前記伝達機構を介して前記反射鏡移動機構に伝わり、該反射鏡移動機構が前記第１反射鏡部分と前記第２反射鏡部分を相対移動させるように構成することができる。
【００３８】
このような構成により、保持部がレンズに最も近づく第１の位置及びレンズから最も遠ざかる第２の位置のいずれかに達した後に、ズーム機構の追加動作機構部が所定の動作を行い、その動作が伝達機構を介して反射鏡移動機構に伝達することにより、第１反射鏡部分と第２反射鏡部分とが相対移動される。この第１反射鏡部分と第２反射鏡部分との相対移動により、１反射鏡部分に形成された孔部から露出する第２反射鏡部分の着色部の面積が変化するようになる。
【００３９】
また、本発明に係るストロボ装置において、前記追加動作機構部は、前記ズーム機構の動力を受ける動作部材と、前記保持部が前記第１の位置と前記第２の位置との間で進退動している際に、前記動作部材をロックし、前記保持部が前記第１の位置及び前記第２の位置のいずれかに達した後に、前記ロック状態を解除するロック機構とを有し、ロック解除のなされた前記動作部材が前記ズーム機構の動力をうけて前記所定の動きを行うように構成することができる。
【００４０】
このような構成により、保持部が第１の位置と第２の位置との間で進退動している際には追加動作機構部の動作部材はズーム機構内でロックされており、保持部が第１の位置及び第２の位置のいずれかに達した後に、前記動作部材は、そのロックが解除されて所定の動きを行う。そして、この動作部材の所定の動作が伝達機構を介して反射鏡移動機構に伝達することにより、第１反射鏡部分と第２反射鏡部分とが相対移動して、第１反射鏡部分に形成された孔部から露出する第２反射鏡部分の着色部の面積が変化するようになる。
【発明の効果】
【００４１】
本発明に係るストロボ装置によれば、反射鏡の反射面の色分布を変えることにより出射光（ストロボ光）の色温度を変えることができ、その色温度を変える際に、フィルタ等の閃光源から発せられた閃光（ストロボ光）を吸収する部材を用いることなく、また、複数の光源からの光量をフィルタや液晶等によって調整することもしていないので、それらフィルタや液晶等の部材が熱破損することなく、閃光源から発生した光を有効に被写体に与えることができ、また、複数の色ずれをともなった影ができることを防止することもできる。
【図面の簡単な説明】
【００４２】
【図１】本発明の第１の実施形態に係るストロボ装置の基本的な構成を概略的に示す図である。
【図２】図１に示すストロボ装置における反射鏡の構成及び反射鏡移動機構の構成を示す図である。
【図３】反射鏡移動機構を動作させる動作制御系の構成を示す図である。
【図４】ストロボ装置から出射される光線の状態を示す図である。
【図５】第１反射鏡部分と第２反射鏡部分との相対位置関係（その１）を示す図である。
【図６】第１反射鏡部分と第２反射鏡部分との相対位置関係（その２）を示す図である。
【図７】第１反射鏡部分と第２反射鏡部分との相対位置関係（その３）を示す図である。
【図８】第１反射鏡部分と第２反射鏡部分との相対位置関係（その４）を示す図である。
【図９】本発明の第２の実施形態に係るストロボ装置の基本的な構成を概略的に示す図である。
【図１０】ストロボ装置内部の具体的な構造を示す斜視図である。
【図１１】ストロボ装置における反射鏡の構成を示す分解斜視図である。
【図１２】ストロボ装置における反射鏡移動機構を示す拡大部分斜視図である。
【図１３】ストロボ装置の構造を示す側断面図である。
【図１４】第１歯車（追加動作機構部）、第２歯車、及び第２反射鏡部分と一体となるラックの相対位置関係（その１）を示す図である。
【図１５】第１歯車（追加動作機構部）、第２歯車、及び第２反射鏡部分と一体となるラックの相対位置関係（その２）を示す図である。
【図１６】第１歯車（追加動作機構部）、第２歯車、及び第２反射鏡部分と一体となるラックの相対位置関係（その３）を示す図である。
【図１７Ａ】ストロボ装置における色温度調節の処理手順を示すフローチャート（その１）である。
【図１７Ｂ】ストロボ装置における色温度調節の処理手順を示すフローチャート（その２）である。
【図１７Ｃ】ストロボ装置における色温度調節の処理手順を示すフローチャート（その３）である。
【図１８】本発明の第３の実施の形態に係るストロボ装置内部の具体的な構造を示す斜視図である。
【図１９】ストロボ装置の構造を示す側断面図である。
【図２０】可動ブロック（追加動作機構部）と第２反射鏡部分と一体となるラックとの相対的位置関係（その１）を示す図である。
【図２１】可動ブロック（追加動作機構部）と第２反射鏡部分と一体となるラックとの相対位置関係（その２）を示す図である。
【図２２】可動ブロック（追加動作機構部）と第２反射鏡部分と一体となるラックとの相対的位置関係（その３）を示す図である。
【図２３】本発明の第４の実施の形態に係るストロボ装置でのズーム動作を示す平面図である。
【図２４】本発明の第４の実施の形態に係るストロボ装置でのズーム動作を示す側面図である。
【図２５】ストロボ装置の構造を分解して示す分解斜視図である。
【図２６】ストロボ装置の色温度調整に係る主要部分の組立状態を示す一部破断斜視図である。
【図２７】ストロボ装置における第２反射鏡部分を移動させるための機構を拡大して示す平面図である。
【発明を実施するための形態】
【００４３】
以下、本発明の実施の形態について、図面を用いて説明する。
【００４４】
本発明の第１の実施形態に係るストロボ装置は、図１〜図３に示すように構成される。図１は、本発明の第１の実施形態に係るストロボ装置の基本的な構成を概略的に示す図であり、図２は、図１に示すストロボ装置における反射鏡の構成及び反射鏡移動機構の構成を示す図であり、図３は、反射鏡移動機構を動作させる動作制御系の構成を示す図である。
【００４５】
図１において、このストロボ装置１０は、閃光源となる直状のキセノン放電管１２と反射鏡１３とを有している。反射鏡１３は、キセノン放電管１２に垂直となる面内（図１の紙面内）において湾曲して（例えば、楕円曲面）そのキセノン放電管１２の伸びる方向（図１の紙面に垂直な方向：横方向）に伸びた形状となって、キセノン放電管１２を囲むように配置されている。キセノン放電管１２及び反射鏡１３の前方には発光窓１１が配置されており、キセノン放電管１２の発する閃光及びその閃光の反射鏡１３での反射光が混ざって発光窓１１を通して前方に出射するようになっている。反射鏡１３は、第１反射鏡部分１４と第２反射鏡部分１５とを有し、第１反射鏡部分１４がキセノン放電管１２に対面するように配置され、第２反射鏡部分１５が第１反射鏡部分１４の裏面側に配置されている。第２反射鏡部分１５は、キセノン放電管１２の伸びる方向（横方向）に直線移動可能となっている。
【００４６】
第１反射鏡部分１４は、アルミニウム板にて形成され、その反射面（湾曲内側面）が鏡面仕上げされている。第１反射鏡部分１４には、図２に示すように、略円形の複数の孔部１４１が形成されている。後述するように着色部が露出することになるこれら複数の孔部１４１は、撮影される被写体領域の照明光の色温度がどの部分においてもほぼ均一になるように配置される。
【００４７】
第２反射鏡部分１５はアルミニウム板にて形成され、その第１反射鏡部分１４に対向する反射面が鏡面仕上げされている。その反射面には、アルマイト処理あるいは高温度耐性のペイント塗装処理により前記複数の孔部１４１のそれぞれの直径と略同じ大きさの幅で第２反射鏡部分１５の湾曲形状に沿って延びる帯状の着色部（１５１ｒ、１５１ｇ）が順次形成されている。具体的には、所定間隔をもって配置される赤色系の所定色に着色された赤着色部１５１ｒと緑色系の所定色に着色された緑着色部１５１ｇとが１組となって第１反射鏡部分１４に形成された複数の孔部１４１の配列方向と同じ方向（第２反射鏡部分１５の直線移動方向）に配列されている。なお、赤着色部１５１ｒと緑着色部１５１ｇの間の領域は、鏡面仕上げされた反射面そのものであって、以下、無着色部１５１ｓという。無着色部１５１ｓの幅は、第１反射鏡部分１４に形成された孔部１４１の直径以上であればよく、例えば、赤着色部１５１ｒ及び緑着色部１５１ｇそれぞれの幅と同じに設定される。このような赤着色部１５１ｒ、無着色部１５１ｓ及び緑着色部１５１ｇの組が、第１反射鏡部分１４の複数の孔部１４１のそれぞれに割当てられるように隙間無く順次配列されている。
【００４８】
各赤着色部１５１ｒ及び各緑着色部１５１ｇの表面は、キセノン放電管１２からの閃光が拡散反射するようざらざらに所謂梨地状に加工されている。
【００４９】
同色の着色部（緑着色部１５１ｇ、赤着色部１５１ｒ、及び無着色部１５１ｓ）の配列ピッチは、第１反射鏡部分１４に形成された複数の孔部１４１の横方向の配列ピッチと同じピッチに設定されている。これにより、第２反射鏡部分１５を直線移動させた際に、常に第１反射鏡部分１４の全ての孔部１４１から同じ色の着色部（無着色部を含む）を同じ面積だけ同時に露出することができるようになる。即ち、第２反射鏡部分１５を直線移動させて第１反射鏡部分１４の各孔部１４１から露出する同色の着色部（緑着色部１５１ｇ、赤着色部１５１ｒ、及び無着色部１５１ｓ）の面積を変えることで反射鏡１３の反射面における色分布を変えることができる。
【００５０】
このストロボ装置１０は、前述した第２反射鏡部分１５を直線移動させる機構（以下、反射鏡移動機構という）を備えている。この反射鏡移動機構は、駆動源となるモータ１６、モータ１６の回転軸にそれと同軸となるように固定されたスクリューシャフト１７、及び第２反射鏡部分１５と一体となるブラケット１９に固定されたナット１８を備えている。スクリューシャフト１７が第２反射鏡部分１５に沿うようにモータ１６が設置され、そのスクリューシャフト１７に螺合するようにナット１８がブラケット１９に固定されている。これによりモータ１６が駆動されてスクリューシャフト１７が回転すると、ナット１８のスクリューシャフト１７に沿った移動に従って、第２反射鏡部分１５が矢印Ａ方向に直線移動するようになる。
【００５１】
前述したストロボ装置１０には、反射鏡移動機構によって移動される第２反射鏡部分１５のその移動方向における位置（第１反射鏡部分１４に対する相対位置）を検出する位置検出器が設けられている。この位置検出器は、前記ブラケット１９に固定されて第２反射鏡部分１５と一体的に移動可能となる金属製のブラシ２０及び、そのブラシ２０が摺動するように配置された抵抗体２１を備えている。抵抗体２１の所定部位（例えば端部）と、ブラシ２０との間の電気的な抵抗値によって、第２反射鏡部分１５の位置（第１反射鏡部分１４との相対的位置）を表すことができる。
【００５２】
前記反射鏡移動機構を動作させるための動作制御系は、図３に示すように構成される。
【００５３】
図３において、この動作制御系は、入力処理回路２４と色温度制御回路２５とを有している。入力処理回路２４には、ストロボ装置１０の筐体に設けられ、ユーザによる操作が可能なスイッチ２２、周囲光の色温度を測定するための色温度センサ２３、及びカメラ２６の制御回路（図示略）が接続されている。入力処理回路２４は、スイッチ２２の操作に基づいた起動信号またはカメラ２６からの起動信号を入力すると、色温度センサ２３からの検出信号に基づいて周囲の光の色温度を表わす色温度信号（色温度情報）を生成し、その色温度信号を色温度制御回路２５に出力する。色温度制御回路２５は、入力処理回路２４からの色温度信号と、前述した位置検出器を構成するブラシ２０と抵抗体２１との間の抵抗値に応じた位置検出信号とに基づいて、前記色温度信号で表される色温度の光が出射するように第２反射鏡部分１５を移動させるべくモータ１６を駆動させる駆動信号を出力する。
【００５４】
ストロボ装置１０から出射される光は、図４に示すように、キセノン放電管１２からの直接光Ｌ０（閃光）と、キセノン放電管１２からの閃光の第１反射鏡部分１４での反射光Ｌ１と、キセノン放電管１２からの閃光が第２反射鏡部分１５の着色部１５１ｒまたは１５１ｇで反射して色を帯びた反射光Ｌ２とが混ざった光となる。反射鏡１３（第１反射鏡部分１４及び第２反射鏡部分１５）は例えば楕円形状に湾曲しており、第１反射鏡部分１４での反射光Ｌ１及び第２反射鏡部分１５の着色部１５１ｒまたは１５１ｇでの反射光Ｌ２は、ストロボ装置１０の正面から見ると、楕円形状の反射鏡面の前側焦点から放射されたように見える。このため、反射鏡面の後側焦点に配置されるキセノン放電管１２から放射される直接光Ｌ０と、第１反射鏡部分１４での反射光Ｌ１と、第２反射鏡部分１５の着色部１５１ｒまたは１５１ｇでの反射光Ｌ２とが同一の光源から放射されたように見える。従って、このストロボ装置１０から出射される光は、前記直接光Ｌ０及び反射光Ｌ１、Ｌ２がうまく混ざり合ったものとなり得る。そして、第２反射鏡部分１５を移動させて第１反射鏡部分１４の各孔部１４１から露出する着色部の色（赤色系の色、または緑色系の色）及びその面積を調整して反射鏡１３の反射面における色分布を変えることにより、前記色を帯びた色反射光Ｌ２の色が変えられ、結果としてストロボ装置１０から出射される光の色温度が変えられる。
【００５５】
具体的には、図５に示すように、第１反射鏡部分１４の各孔部１４１の全体から第２反射鏡部分１５の緑着色部１５１ｇが露出する場合、ストロボ装置１０からの出射光の色温度は、比較的高い、例えば、約６，５００Ｋとなる。この場合は、周囲が白色蛍光灯で照明されている状況において好適となる。図６に示すように、第２反射鏡部分１５を方向Ａに移動させて、第１反射鏡部分１４の各孔部１４１から第２反射鏡部分１５の緑着色部１５１ｇと無着色部１５１ｓとが半々の面積割合で露出する場合、ストロボ装置１０からの出射光の色温度は、図５に示す場合に比べて下がり、例えば、約６，０００Ｋとなる。この場合は、周囲が自然光に近い白色蛍光灯で照明されている状況において好適となる。
【００５６】
また、図７に示すように、第２反射鏡部分１５を更に方向Ａに移動させて、第１反射鏡部分１４の各孔部１４１の全体から第２反射鏡部分１５の無着色部１５１ｓが露出する場合、ストロボ装置１０からの出射光の色温度は、キセノン放電管１２からの閃光の色温度とほぼ同じになって、例えば、５，５００Ｋとなる。この場合は、周囲が太陽光により照らされている状況において好適となる。図８に示すように、第２反射鏡部分１５を更に方向Ａに移動させて、第１反射鏡部分１４の各孔部１４１の全体から第２反射鏡部分１５の赤着色部１５１ｒが露出する場合、ストロボ装置１０からの出射光の色温度は、更に低下して、例えば、２，８００Ｋとなる。この場合は、周囲がタングステンランプ（白色電球）にて照明されている状況において好適となる。
【００５７】
このように、第２反射鏡部分１５を直線移動させて、図５に示す状態から図７に示す状態の間で第１反射鏡部分１４の各孔部１４１から露出する緑着色部１５１ｇの面積割合を調節することにより、ストロボ装置１０から出射する出射光の色温度を、例えば、６，５００Ｋから５，５００Ｋの範囲で調節することができる。また、第２反射鏡部分１５を直線移動させて、図７示す状態から図８に示す状態の間で第１反射鏡部分１４の孔部１４１から露出する赤着色部１５１ｒの面積割合を調節することにより、ストロボ装置１０から出射する出射光の色温度を、例えば、５，５００Ｋから２，８００Ｋの間で調整することができる。即ち、緑着色部１５１ｇと赤着色部１５１ｒとの間に無着色部１５１ｓが配置されているので、第２反射鏡部分１５を直線移動させることにより、出射光の色温度を、例えば、２，８００Ｋから６，５００Ｋの間で連続的に変えることができるようになる。
【００５８】
出射光の色温度調整は具体的に次のようになされる。
【００５９】
スイッチ２２がユーザにて操作されて、あるいは、カメラ２６の撮影操作に基づいて起動信号が入力処理回路２４に入力すると、入力処理回路２４が、色温度センサ２３からの検出信号に基づいて周囲の色温度を表わす色温度信号を生成する。そして、入力処理回路２４からの色温度信号が色温度制御回路２５に入力すると、色温度制御回路２５は、ブラシ２０と抵抗体２１との間の抵抗値に応じた位置検出信号にて表される第２反射鏡部分１５の第１反射鏡部分１４に対する相対位置が、前記色温度信号にて表される色温度の出射光が得られる位置となるように第２反射鏡部分１５を移動させるべくモータ１６を駆動させる。例えば、周囲がタングステンランプ（白色電球）で照明されている状況でカメラ２６による撮影がなされる場合、前記位置検出信号にて表される第２反射鏡部分１５の第１反射鏡部分１４に対する相対位置が、例えば、図８に示すように、第１反射鏡部分１４の各孔部１４１の全体から赤着色部１５１ｒが露出する位置となるように第２反射鏡部分１５が移動させられる。また、例えば、周囲が白色蛍光灯にて照明されている状況でカメラ２６による撮影がなされる場合、前記位置検出信号にて表される第２反射鏡部分１５の第１反射鏡部分１４に対する相対位置が、例えば、図５に示すように、第１反射鏡部分１４の各孔部１４１の全体から第２反射鏡部分１５の緑着色部１５１ｇが露出する位置となるように第２反射鏡部分１５が移動される。このようにして、周囲の色温度と同程度の色温度の光をストロボ装置１０から出射することができるので、周囲の色味とストロボ光との差が少なく違和感のない写真を撮ることができるようになる。
【００６０】
このように、第１の実施の形態に係るストロボ装置によれば、第１反射鏡部分１４の各孔部１４１から露出する第２反射鏡部分１５の着色部分及びその面積を変えることにより反射鏡１３の反射面の色分布を変えることができるので、キセノン放電管１２から発せられた閃光の反射鏡１３での反射光の色温度を前記色分布に応じて変えることができる。その結果、その反射光を含むストロボ装置１０からの出射光の色温度を調整することができるようになる。この色温度調整において、液晶やシート状のフィルタを使う場合のように構成部材が熱破壊を起こすおそれがない。また、キセノン放電管１２からの直接光は反射鏡楕円形状の後ろ側焦点から、また色付き反射光は前側焦点付近から射出されることになるので、離れた被写体側から見れば、ほとんど同一点から射出されることになるので、複数の色ずれを伴った影ができることもない。
【００６１】
また、第２反射鏡部分１５に形成された各赤着色部１５１ｒ及び各緑着色部１５１ｇの表面が、閃光を拡散反射させるようにざらざらに所謂梨地状に加工されているので、各赤着色部１５１ｒ及び各緑着色部１５１ｇでの反射光が各孔部１４１を通して拡散するようになる。その結果、色温度がより均一となる光を出射することができるようになる。
【００６２】
本発明の第１の実施の形態に係るストロボ装置では、反射鏡駆動機構が駆動源となるモータ１６を含み、そのモータ１６の駆動力によって第２反射鏡部分１５を直線移動させるようにしているが、手動によって第２反射鏡部分１５を直線移動させるよう反射鏡移動機構を構成することもできる。
【００６３】
また、前記反射鏡移動機構は、第２反射鏡部分１５を直線移動させるものであったが、複数の孔部１４１が形成された第１反射鏡部分１４を直線移動させるように、あるいは、第１反射鏡部分１４及び第２反射鏡部分の双方を相対的に直線移動させるように構成することもできる。
【００６４】
次に、本発明の第２の実施の形態に係るストロボ装置について説明する。このストロボ装置は、出射する光の広がりを調整するズーム機構を有しており、そのズーム機構の動きを利用して第２反射鏡部分を移動させる点で前述した本発明の第１の実施の形態に係るストロボ装置と相違する。
【００６５】
本発明の第２の実施の形態に係るストロボ装置は、図９〜図１３に示すように構成される。なお、図９は、本発明の第２の実施形態に係るストロボ装置の基本的な構成を概略的に示す図であり、図１０は、ストロボ装置内部の構造を示す斜視図であり、図１１は、ストロボ装置における反射鏡の構成を示す分解斜視図であり、図１２は、ストロボ装置におけるズーム機構及び反射移動機構を拡大して示す部分斜視図であり、図１３は、ストロボ装置の構造を示す側断面図である。
【００６６】
図９において、ストロボ装置３０は、第１の実施の形態に係るストロボ装置１０と同様に、閃光源となるキセノン放電管３２及びアルミニウム板で湾曲（例えば、楕円曲面）形成された反射鏡３３を有している。キセノン放電管３２及び反射鏡３３が前後動可能な可動台３６（保持部）に保持されており、可動台３６の前後動範囲の前方にフレネルレンズ３１が配置されている。キセノン放電管３２から発せられた光が反射鏡３３で反射し、キセノン放電管３２からの光（直接光）と反射鏡３３での反射光とがストロボ光としてフレネルレンズ３１を通して前方に出射する。
【００６７】
可動台３６は、フレネルレンズ３１に最も近づいて出射光の広がりが最も大きくなる第１の位置（広角照射）と、フレネルレンズ３１から最も遠ざかって出射光の広がりが最も小さくなる第２の位置（望遠照射）との間で前後動するようになっている。可動台３６（キセノン放電管３２及び反射鏡３３）を前後動させて出射光の広がりを可変にする機構がズーム機構であり、このズーム機構は、モータ３８によって回転させられるスクリューシャフト３７の正逆の送り動作によって可動台３６を前後動させている。
【００６８】
ズーム機構を有するストロボ装置３０の更に詳細な構成について図１０〜図１３を参照して説明する。
【００６９】
まず、反射鏡３３は、図１１に詳細に示すように、前述した第１の実施の形態に係るストロボ装置１０と同様に、第１反射鏡部分３４と第２反射鏡部分３５とを有している。そして、第１反射鏡部分３４がキセノン放電管３２に対面するように配置され、第２反射鏡部分３５が第１反射鏡部分３４の裏面側に配置されるとともにキセノン放電管３２の伸びる方向（方向Ａ：横方向）に直線移動可能となっている。第１反射鏡部分３４には、複数の孔部３４１が所定の配列規則に従って形成されている。第２反射鏡部分３５には、第１反射鏡部分３４の複数の孔部３４１のそれぞれに割当てられるように、緑色系の所定色にて着色された緑着色部３５１ｇと、赤色系の所定色にて着色された赤着色部３５１ｒとが着色されずに反射鏡面そのままの領域となる無着色部３５１ｓを挟むように形成されている。そして、複数の孔部３４１それぞれに割当てられた緑着色部３５１ｇの配列規則（形状、相対的配列位置）、赤着色部３５１ｒの配列規則、及び無着色部３５１ｓの配列規則のそれぞれは、前記複数の孔部３４１の配列規則と同じになっている。これにより、第２反射鏡部分３５を直線移動させた際に、常に第１反射鏡部分３４の複数の孔部３４１から露出する着色部の色は同じになる。なお、赤着色部３５１ｒ及び緑着色部３５１ｇの表面は、第１の実施の形態に係るストロボ装置１０の場合と同様に、ざらざらした梨地状に加工されている。
【００７０】
次に、図１０を参照するに、ストロボ装置３０の筐体（図示略）の底板３９に、前後方向（Ｂ方向）に伸びて相互に平行となるスライドレール４０、４１が設けられている。一方のスライドレール４０の後端部に後ストッパ４０２が設けられるとともにその前端部に図示されていないが同様の前ストッパが設けられている。他方のスライドレール４１の後端部及び前端部にも同様に後ストッパ４１２及び前ストッパ４１１が設けられている。可動台３６の底部に２つのスライダ３６０、３６１が形成されており、一方のスライダ３６０がスライドレール４０に摺動自在に嵌っており、他方のスライダ３６１がスライドレール４１に摺動自在に嵌っている。スライダ３６０、３６１がスライドレール４０、４１を摺動することにより、可動台３６が前後移動するようになっている。スライダ３６０、３６１がスライドレール４０の前ストッパ及びスライドレール４１の前ストッパ４１１に当接すると、可動台３６がフレネルレンズ３１に最も近づいた第１の位置となり、スライダ３６０、３６１がスライドレール４０の後ストッパ４０２及びスライドレール４１の後ストッパ４１２に当接すると、可動台３６がフレネルレンズ３１から最も遠ざかった第２の位置となる。
【００７１】
可動台３６と筐体の底板３９との間に、スライドレール４０、４１と平行となるようにスクリューシャフト３７が配置されている。図１０とともに図１１及び図１２を参照するに、スクリューシャフト３７に第１歯車４５が噛み合っている。第１歯車４５は後述するロック機構によって通常ロックされており、モータ３８（図９参照）によって正逆回転するスクリューシャフト３７にて第１歯車４５が回転することなく前後方向（Ｂ方向）に送られるようになっている。第２歯車４３が連結軸４４により同軸となって第１歯車４５に連結されている。連結軸４４は、可動台３６から後方に張り出した軸受け部３６２を貫通し、Ｅリング４８によって抜け止めされている。反射鏡３３を構成する第２反射鏡部分３５の裏面に第２反射鏡部分３５の伸びる方向に伸びるラック４２が固定されており、第２歯車４３がラック４２に噛み合っている。
【００７２】
前述した第１歯車４５のロック機構は、次のように構成されている。
【００７３】
図１２及び図１３を参照するに、第１歯車４５には、スクリューシャフト３７に噛み合う歯と連結軸４４を挟んで逆側に張出し部４５ａが形成されている。張出し部４５ａには凹部が形成され、その凹部に先端が球面形状となるクリック突子４６がコイルスプリング４７によって上方に付勢された状態で収容されている。可動台３６から張り出した軸受け部３６２の第１歯車４５の張出し部４５ａに対向する部分に３つの係止凹部３６２ａ、３６２ｂ、３６２ｃが形成されている。第１歯車４５の連結軸４４を中心とした回動に伴うクリック突子４６の円弧状の軌跡上に所定間隔をもって前記３つの係止凹部３６２ａ、３６２ｂ、３６２ｃが配置されている。各係止凹部３６２ａ、３６２ｂ、３６２ｃの内周面は球面状に形成されており、これら係止凹部３６２ａ、３６２ｂ、３６２ｃのいずれかに、第１歯車４５の張出し部４５ａから突出するクリック突子４６の先端部が嵌りこんでいる。先端部が係止凹部３６２ａ、３６２ｂ、３６２ｃのいずれかに嵌り込むクリック突子４６がコイルスプリング４７によって押圧されることにより、第１歯車４５と可動台３６（軸受け部３６２）とが比較的強固に連結されて、第１歯車４５がロックされた状態となる。なお、クリック突子４６を上方に付勢するコイルスプリング４７の反力によって第１歯車４５（張出し部４５ａ）が下方に押されても、第１歯車４５と一体となる連結軸４４が軸受け部３６２にＥリング４８によって抜け止めされているので、クリック突子４６の係止凹部３６２ａ、３６２ｂ、３６２ｃへの押圧状態は維持される。
【００７４】
前述したロック機構によって第１歯車４５がロックされ、第１歯車４５と可動台３６とが比較的強固に連結された状態にあると、モータ３８（図９参照）により正逆回転されるスクリューシャフト３７によって送られる第１歯車４５の前後動に伴って、可動台３６が前記第１の位置（広角）と第２の位置（望遠）との間で前後動するようになる。このように、モータ３８、スクリューシャフト３７、第１歯車４５及び前記ロック機構（クリック突子４６、コイルスプリング４７及び張出し部４５ａに形成された係止凹部３６２ａ、３６２ｂ、３６２ｃを含む）によりズーム機構が構成される。
【００７５】
このストロボ装置３０では、ロックされている第１歯車４５とともに可動台３６が移動してスライダ３６１、３６２がスライドレール４０、４１の前ストッパ４１１に突き当たって（第１の位置）第１歯車４５の送りが阻止される。この状態で更にスクリューシャフト３７が回転しようとすると、第１歯車４５に働く回転力によって３つの係止凹部３６２ａ、３６２ｂ、３６２ｃのいずれかに嵌っているクリック突子４６が当該係止凹部の内周面からコイルスプリング４７の付勢に抗する力を受ける。この力によってクリック突子４６が係止凹部から抜けると、第１歯車４５のロックが解除されてスクリューシャフト３７から受ける回転力によって第１歯車４５が回動し、クリック突子４６が隣の係止凹部に嵌り込む。例えば、このタイミングでスクリューシャフト３７の回転が停止される。このタイミングでスクリューシャフト３７の回転が停止されなければ、クリック突子４６が更に隣の係止凹部に嵌り込むまで第１歯車４５が回動し、そのタイミングでスクリューシャフト３７の回転が停止される。
【００７６】
このように可動台３６が第１の位置に達した後に、スクリューシャフト３７が所定量だけ回転を維持することにより、その可動台３６の更なる動きに寄与することなく、ロックが解除された第１歯車４５（追加動作機構部：動作部材）が、クリック突子４６が隣の係止凹部に嵌り込むまで回動する。この際の第１歯車４５の回動が連結軸４４（伝達機構）により第２歯車４３に伝達し、第２歯車４３の回動に伴うラック４２の直線移動により、反射鏡３３の第２反射鏡部分３５が横方向（Ａ方向）に直線移動する。
【００７７】
連結軸４４（伝達機構）を介して第１歯車４５（追加動作機構部：動作部材）の動きによって第２反射鏡部分３５を動かす第２歯車４３及びラック４２が反射鏡移動機構を構成する。そして、第１歯車４５（追加移動機構）と反射鏡移動機構（第２歯車４３及びラック４２）との動作的な関係は、クリック突子４６が各係止凹部３６２ａ、３６２ｂ、３６２ｃから隣接する係止凹部まで１ピッチ分移動するだけの第１歯車４５の回動により、第２反射鏡部分３５が、第１反射鏡部分３４の各孔部３４１から露出する着色部（赤着色部３５１ｒ、緑着色部３５１ｇ及び無着色部３５１ｓのいずれか）が隣接する着色部に変わる距離だけ直線移動するように設定されている。
【００７８】
なお、可動台３６が、スライダ３６１、３６２がスライドレール４０、４１の後ストッパ４０２、４１２に突き当たる第２の位置に達して第１歯車４５の送りが阻止されたときも、第１歯車４５のロックが解除されて、前述したのと同様の動作により、第２反射鏡部分３５を直線移動させることができる。ただし、この場合、スクリューシャフト３７の回転が逆回転になるので、第１歯車４５、第２歯車４３の回動方向も逆になって、第２反射鏡部分３５の移動方向も逆方向になる。
【００７９】
第２の実施の形態に係るストロボ装置３０の更に詳細な動作について図１４〜図１６及び図１７Ａ〜図１７Ｃを参照して説明する。
【００８０】
例えば、クリック突子４６が３つの係止凹部３６２ａ、３６２ｂ、３６２ｃのうちの一方端の係止凹部３６２ａに嵌った状態では、図１４に示すように、第１歯車４５の３つの歯４５１、４５２、４５３のうちの一方端の歯４５１がスクリューシャフト３７に噛み合うとともに第２歯車４３の３つの歯４３１、４３２、４３３のうちの一方端の歯４３１がラック４２に噛み合っている。この状態で、ラック４２は、移動範囲の最も左側に位置して第２反射鏡部分３５の緑着色部３５１ｇが第１反射鏡部分３４の各孔部３４１から露出する（図１１参照）。このように、クリック突子４６が係止凹部３６２ａに嵌って第１反射鏡部分３４の各孔部３４１から緑着色部３５１ｇが露出した状態では、比較的色温度の高いストロボ光を出射することができる。
【００８１】
例えば、クリック突子４６が３つの係止凹部３６２ａ、３６２ｂ、３６２ｃのうちの中央の係止凹部３６２ｂに嵌った状態では、図１５に示すように、第１歯車４５の３つの歯４５１、４５２、４５３のうちの中央の歯４５２がスクリューシャフト３７に噛み合うとともに第２歯車４３の３つの歯４３１、４３２、４３３のうちの中央の歯４３２がラック４２かみ合っている。この状態で、ラック４２は、移動範囲の中央に位置して第２反射鏡部分３５の無着色部３５１ｓが第１反射鏡部分３４の各孔部３４１から露出する（図１１参照）。このように、クリック突子４６が係止凹部３６２ｂに嵌って第１反射鏡部分３４の各孔部３４１から無着色部３５１ｓが露出した状態では、自然光に近い色温度のストロボ光を出射することができる。
【００８２】
例えば、クリック突子４６が３つの係止凹部３６２ａ、３６２ｂ、３６２ｃのうちの他方端の係止凹部３６２ｃに嵌った状態では、図１６に示すように、第１歯車４５の３つの歯４５１、４５２、４５３のうちの他方端の歯４５３がスクリューシャフト３７に噛み合うとともに第２歯車４３の３つの歯４３１、４３２、４３３のうちの他方端の歯４３３がラック４２に噛み合っている。この状態で、ラック４２は最も右側に位置して第２反射鏡部分３４の赤着色部３５１ｒが第１反射鏡部分３４の各孔部３４１から露出する（図１１参照）。このようにクリック突子４６が係止凹部３６２ｃに嵌って第１反射鏡部分３４の各孔部３４１から赤着色部３５１ｒが露出した状態では、比較的色温度の低いストロボ光を出射することができる。
【００８３】
このストロボ装置３０は、第２歯車４３の回動位置（ラック４２に噛み合っている第２歯車４３の歯の位置）を検出する位置検出器（図示略）からの情報に基づいて反射鏡３３の反射面の色分布が指定された色温度に対応するように第２反射鏡部分３５を移動させる動作制御系（図示略）を有している。この動作制御系は、例えば、図１７Ａ〜図１７Ｃに示す手順に従って第２反射鏡部分３５の移動制御を行って、ストロボ装置３０からフレネルレンズ３１を通して出射する光の色温度を調整する。
【００８４】
このストロボ装置３０に対して発光色温度が指定される場合について説明する。
図１７Ａにおいて、指定された色温度が何であるかが判定される（Ｓ１）。具体的には、指定された色温度が、第２歯車４３の歯４３３がラック４２に噛み合って（図１６参照）第２反射鏡部分３５の赤着色部３５１ｒが第１反射鏡部分３４の各孔部３４１から露出した状態で得られる出射光の色温度（比較的低い色温度）、第２歯車４３の歯４３１がラック４２に噛み合って（図１４参照）第２反射光部分３５の緑着色部３５１ｇが第１反射鏡部分３４の各孔部３４１から露出した状態で得られる出射光の色温度（比較的高い色温度）、及び第２歯車４３の歯４３２がラック４２に噛み合って（図１５参照）第２反射鏡部分３５の無着色部３５１ｓが第１反射鏡部分３４の各孔部３４１から露出した状態で得られる出射光の色温度（自然光に相当する色温度）のいずれかであるかが判定される。なお、前記指定された色温度は、第１の実施の形態に係るストロボ装置１０と同様に色温度センサからの検出信号に基づくものであっても、ユーザの操作によって入力された情報に基づくものであってもよい。続いて、現在の発光色設定状態を第２歯車４３の回動位置（ラック４２に噛み合っている第２歯車４３の歯の位置）を検出する位置検出器から判定する（Ｓ２、Ｓ４、Ｓ６）。そして、その結果からスクリューシャフト３７の回転方向を決定し、回転させ、第２歯車４３の回動位置検出器の出力から所定の発光色設定になる位置に第２反射鏡３５が設定される。
【００８５】
入力指定された色温度が、例えば、前記比較的低い色温度（図１６に示す状態）である場合（Ｓ１で「４３３」）であって、更に、位置検出器からの検出信号に基づいた第２歯車４３の現在の回動位置が、歯４３１がラック４２に噛み合った位置（図１４参照）である場合（Ｓ２でＹＥＳ）の動作について説明する。
【００８６】
この場合、第２歯車４３を時計方向に２歯分回動させてラック４２が最も右側の位置（図１６参照）になるように、スクリューシャフト３７を反時計回り方向に回転させる（Ｓ３）。具体的には、スクリューシャフト３７が反時計回り方向に回転させられて第１歯車４５とともに可動台３６が前方に移動する。そして、可動台３６がフレネルレンズ３１に最も近づく第１の位置に達したところで可動台３６は停止する。スクリューシャフト３７の回転が維持されることにより、第１歯車４５のロックが解除されて、クリック突子４６が係止凹部３６２ａから２クリック分の係止凹部３６２ｃに達するまで第１歯車４５が回動する。そのタイミングで、第２歯車４３が、歯４３３がラックに噛み合った状態となり、位置検出器からの検出信号に基づいてスクリューシャフト３７の回転が停止される。そして、クリック突子４６が係止凹部３６２ｃに嵌りこんだ状態で第１歯車４５がロックされる。
【００８７】
上記のような第２歯車４３の２歯分（歯４３１→歯４３３）の回動に伴うラック４２の最も左側（図１４参照）から最も右側（図１６参照）までの移動により、第２反射鏡部分３５が、第１反射鏡部分３４の各孔部３４１から赤着色部３５１ｒが露出するまで直線移動する。これにより、比較的低い色温度の光が出射可能な状態となる。
【００８８】
入力指定された色温度が、例えば、前記比較的低い色温度（図１６に示す状態）である場合（Ｓ１で「４３３」）であって、更に、位置検出器からの検出信号に基づいて第２歯車４３の現在の回動位置が、歯４３２がラック４２に噛み合った位置（図１５参照）である場合（Ｓ２でNO、S4でＹＥＳ）の動作を説明する。
【００８９】
この場合、第２歯車４３を時計回り方向に１歯分回動させてラック４２が略中央の現在位置（図１５参照）から最も右側の位置（図１６参照）になるように、スクリューシャフト３７を反時計回り方向に回転させる（Ｓ５）。具体的には、スクリューシャフト３７の反時計回り方向の回転によって可動台３６が第１の位置に達し、更に、スクリューシャフト３７の回転が維持されることにより、第１歯車４５のロックが解除されて、クリック突子４６が係止凹部３６２ｂから１クリック分の係止凹部３６２ｃに達するまで第１歯車４５が回動する。この状態で、スクリューシャフト３７の回転が停止されて、第１歯車４５がロックされる。
【００９０】
上記のような第２歯車４３の１歯分（歯４３２→歯４３３）の回動に伴うラック４２の略中央（図１５参照）から最も右側（図１６参照）までの移動により、第２反射鏡部分３５が、第１反射鏡部分３４の各孔部３４１から赤着色部３５１ｒが露出するまで直線移動する。これにより、比較的低い色温度の光が出射可能な状態となる。
【００９１】
入力指定された色温度が、例えば、前記比較的低い色温度（図１６に示す状態）である場合（Ｓ１で「４３３」）であって、更に、位置検出器からの検出信号に基づいて第２歯車４３の現在の回動位置が歯４３３がラック４２に噛み合った位置（図１６参照）である場合（Ｓ２でNO、S4でNO、S６でＹＥＳ）の動作を説明する。
【００９２】
この場合、第２反射鏡部分３５の赤着色部３５１ｒが第１反射鏡部分３４の各孔部３４１から露出して既にその色分布が指定された色温度に対応するものとなっているので、スクリューシャフト３７を回転させることなく第２反射鏡部分３５の位置が維持される（Ｓ７）。これにより、比較的低い色温度の光が出射可能な状態が維持される。
【００９３】
なお、位置検出器からの検出信号に基づいて、第２歯車４３の現在位置が、前述した歯４３１、４３２、４３３のいずれかがラック４２に噛み合っている位置であるとの判定がなされたかった場合（Ｓ２、Ｓ４、Ｓ６でＮＯ）、第２反射鏡部分３５の第１反射鏡部分３４に対する相対位置が故障等で不定であるとして、表示ユニット（図示略）に異常メッセージを表示し、あるいは、警報ランプ（図示略）を点灯させる（Ｓ８）。そして、スクリューシャフト３７を回転させることなく第２反射鏡部分３５の位置が維持される（Ｓ７）。
【００９４】
入力指定された色温度が、前述とは逆に比較的高い色温度（図１４参照）であると判定されると（Ｓ１で「４３１」）、第２歯車４３を歯４３１がラック４２に噛み合った位置にして第１反射鏡部分３４の各孔部３４１から第２反射鏡部分３５の緑着色部３５１ｇを露出させる動作について図１７Ｂを参照して説明する。
【００９５】
図１７Ｂにおいて、入力指定された色温度が図１４に示す状態と同じである場合（Ｓ１で「４３１」）であって、更に、位置検出器からの検出信号に基づいた現在の第２歯車４３の回動位置が、歯４３１がラック４２に噛み合った位置（図１４参照）である場合（Ｓ１１でＹＥＳ）の動作を説明する。
【００９６】
この場合、第２反射鏡部分３５の緑着色部３５１ｇが第１反射鏡部分３４の各孔部３４１から露出して既にその色分布が指定された色温度に対応するものとなっているので、スクリューシャフト３７を回転させることなく第２反射鏡部分３５の位置が維持される（Ｓ１２）。これにより、比較的高い色温度の光が出射可能な状態が維持される。
【００９７】
入力指定された色温度が図１４に示す状態と同じである場合（Ｓ１で「４３１」）であって、更に、位置検出器からの検出信号に基づいた現在の第２歯車４３の現在の回動位置が、歯４３２がラック４２に噛み合った位置（図１５参照）である場合（Ｓ１１でNO、S１３でＹＥＳ）の動作を説明する。
【００９８】
この場合、第２歯車４３を反時計回り方向に１歯分回動させてラック４２が略中央の現在位置（図１５参照）から最も左側の位置（図１４参照）になるように、スクリュウーシャフト３７を時計回り方向に回転させる（Ｓ１４）。具体的には、スクリューシャフト３７が時計回り方向に回転させられて第１歯車４５とともに可動台３６が後方に移動する。そして、可動台３６がフレネルレンズ３１から最も遠ざかる第２の位置に達したところで可動台３６は停止する。スクリューシャフト３７の回転はそのまま維持されることにより、第１歯車４５のロックが解除されて、クリック突子４６が係止凹部３６２ｂから１クリック分の係止凹部３６２ａに達するまで第１歯車４５が回動する。そのタイミングで、第２歯車４３が、歯４３１がラックに噛み合った状態となり、位置検出器からの検出信号に基づいてスクリューシャフト３７の回転が停止される。そして、クリック突子４６が係止凹部３６２ａに嵌りこんだ状態で第１歯車４５がロックされる。
【００９９】
上記のような第２歯車４３の１歯分（歯４３２→歯４３１）の回動に伴うラック４２の略中央（図１５参照）から最も左側（図１４参照）までの移動により、第２反射鏡部分３５が、第１反射鏡部分３４の各孔部３４１から緑着色部３５１ｇが露出するまで直線移動する。これにより、比較的高い色温度の光が出射可能な状態となる。
【０１００】
入力指定された色温度が図１４に示す状態と同じである場合（Ｓ１で「４３１」）であって、更に、位置検出器からの検出信号に基づいた現在の第２歯車４３の現在の回動位置が歯４３３がラック４２に噛み合った位置（図１６参照）である場合（Ｓ１１でNO、Ｓ１３でＮＯ、Ｓ１５でＹＥＳ）の動作を説明する。
【０１０１】
この場合、第２歯車４３を反時計回り方向に２歯分回動させてラック４２が最も右側の現在位置（図１６参照）から最も左側の位置（図１４照）になるように、スクリューシャフト３７を時計回り方向に回転させる（Ｓ１６）。具体的には、スクリューシャフト３７の時計回り方向の回転によって可動台３６が第２の位置に達し、更に、スクリューシャフト３７の回転が維持されることにより、第１歯車４５のロックが解除されて、クリック突子４６が係止凹部３６２ｃから２クリック分の係止凹部３６２ａに達するまで第１歯車４５が回動する。この状態で、スクリューシャフト３７の回転が停止されて、第１歯車４５がロックされる。
【０１０２】
上記のような第２歯車４３の２歯分（歯４３３→歯４３１）の回動に伴うラック４２の最も右側（図１６参照）から最も左側（図１４参照）までの移動により、第２反射鏡部分３５が、第１反射鏡部分３４の各孔部３４１から緑着色部３５１ｇが露出するまで直線移動する。これにより、比較的高い色温度の光が出射可能な状態となる。
【０１０３】
更に、図１７Ａにおいて、前記入力指定された色温度が、自然光に相当する色温度（図１５参照）であると判定されると（Ｓ１で「４３２」）、第２歯車４３を歯４３２に噛み合った位置にして第１反射鏡部分３４の各孔部３４１から第２反射鏡部分３５の無着色部３５１ｓを露出させるようにするために、図１７Ｃに示す処理に移行する。
【０１０４】
図１７Ｃにおいて、入力指定された色温度が図１５に示す状態と同じである場合（Ｓ１で「４３２」）であって、更に、位置検出器からの検出信号に基づいた現在の第２歯車４３の現在の回動位置が、歯４３１がラック４２に噛み合った位置（図１４参照）である場合（Ｓ２１でＹＥＳ）の動作を説明する。
【０１０５】
この場合、第２歯車４３を時計方向に１歯分回動させてラック４２を最も左側の現在位置（図１４参照）から略中央の位置（図１５参照）となるように、スクリューシャフト３７を反時計回り方向に回転させる（Ｓ２２）。具体的には、スクリューシャフト３７の反時計回り方向の回転によって可動台３６がフレネルレンズ３１に最も近づく第１の位置に達し、更に、スクリューシャフト３７の回転が維持されることにより、第１歯車４５のロックが解除されて、クリック突子４６が係止凹部３６２ａから１クリック分の係止凹部３６２ｂに達するまで第１歯車４５が回動する。この状態で、スクリューシャフト３７の回転が停止されて、第１歯車４５がロックされる。
【０１０６】
上記のような第２歯車４３の１歯分（歯４３１→歯４３２）の回動に伴うラック４２の最も左側（図１４参照）から略中央（図１５参照）までの移動により、第２反射鏡部分３５が、第１反射鏡部分３４の各孔部３４１から無着色部３５１ｓが露出するまで直線移動する。これにより、自然光に相当する色温度の光が出射可能な状態となる。
【０１０７】
入力指定された色温度が図１５に示す状態と同じである場合（Ｓ１で「４３２」）であって、更に、位置検出器からの検出信号に基づいた現在の第２歯車４３の現在の回動位置が歯４３２が、ラック４２に噛み合った位置（図１５参照）である場合（Ｓ２１でＮＯ、Ｓ２３でＹＥＳ）の動作を説明する。
【０１０８】
この場合、第２反射鏡部分３５の無着色部３５１ｓが第１反射鏡部分３４の各孔部３４１から露出して既にその色分布が指定された色温度に対応するものとなっているので、スクリューシャフト３７を回転させることなく第２反射鏡部分３５の位置が維持される（Ｓ２４）。これにより、自然光に相当する色温度の光が出射可能な状態が維持される。
【０１０９】
入力指定された色温度が図１５に示す状態と同じである場合（Ｓ１で「４３２」）であって、更に、位置検出器からの検出信号に基づいた現在の第２歯車４３の現在の回動位置が、歯４３３がラック４２に噛み合った位置（図１６参照）である場合（Ｓ２１でＮＯ、Ｓ２３でＮＯ、Ｓ２５でＹＥＳ）の動作を説明する。
【０１１０】
この場合、第２歯車４３を反時計回り方向に１歯分回動させてラック４２が最も右側の現在位置（図１６参照）から略中央の位置（図１５参照）になるように、スクリューシャフト３７を時計回り方向に回転させる（Ｓ２６）。具体的には、スクリューシャフト３７の時計回り方向の回転によって可動台３６がフレネルレンズ３１から最も遠ざかる第２の位置に達し、更に、スクリューシャフト３７の回転が維持されることにより、第１歯車４５のロックが解除されて、クリック突子４６が係止凹部３６２ｃから１クリック分の係止凹部３６２ｂに達するまで第１歯車４５が回動する。この状態で、スクリューシャフト３７の回転が停止されて、第１歯車４５がロックされる。
【０１１１】
上記のような第２歯車４３の１歯分（歯４３３→歯４３２）の回動に伴うラック４２の最も右側（図１６参照）から略中央（図１５参照）までの移動により、第２反射鏡部分３５が、第１反射鏡部分３４の各孔部３４１から無着色部３５１ｇが露出するまで直線移動する。これにより、自然光に相当する色温度の光が出射可能な状態となる。
【０１１２】
前述したようにして出射光の色温度調整が終了すると、フレネルレンズ３１に最も近い第１の位置と、フレネルレンズ３１から最も遠い第２の位置の間で、可動台３６を、スクリューシャフト３７を時計回り方向または反時計回り方向に回転させて、出射光が所望の広がりとなるように設定することが出来る（ズーム動作）。この状態で、キセノン放電管３２を発光させると、反射鏡３３での反射光が第１反射鏡部分３４の各孔部３４１から露出する着色部（緑着色部３５１ｇ、赤着色部３５１ｒ、無着色部３５１ｓ）の色に基づいた色温度を有するようになり、この色温度の反射光とキセノン放電管３２からの直接光とが混ざってフレネルレンズ３１から前記所望の広がりをもったストロボ光として出射される。
【０１１３】
本発明の第２の実施の形態に係るストロボ装置３０によれば、第１反射鏡部分３４の各孔部３４１から露出する第２反射鏡部分３５の着色部分を赤着色部３５１ｒ、緑着色部３５１ｇ及び無着色部３５１ｓのいずれかに変えることにより反射鏡３３における反射面の色分布を変えることができるので、キセノン放電管３２から発せられた閃光の反射鏡３３での反射光の色温度を前記色分布に応じて変えることができる。その結果、その反射光を含むストロボ装置３０からの出射光の色温度を調整することができるようになる。また、第１の実施の形態に係るストロボ装置１０と同様に、前記色温度調整において、フィルタ等のキセノン放電管３２から発せられた閃光を吸収する物を用いれおらず、また、複数の光源からの光量をフィルタや液晶等によって調整するようなこともしていないので、熱による部材の破壊もなく、キセノン放電管３２から発生した光を有効に被写体に与えることができ、また、複数の色ずれをともなった影ができることを防止することもできる。
【０１１４】
更に、本発明の第２の実施の形態に係るストロボ装置３０によれば、ズーム機構の一部を用いて反射鏡３３の第２反射鏡部分３５を移動させる反射鏡移動機構を動作させるようにしているので、反射鏡移動機構を動作させるための機構を別途設ける必要がなく、ストロボ装置３０の大型化を極力抑えることができる。
【０１１５】
なお、本発明の第２の実施の形態に係るストロボ装置３０では、ロック機構のクリック突子４６の３つのロック位置（３つの係止凹部３６２ａ、３６２ｂ、３６２ｃ）のそれぞれに対応して、第１反射鏡部分３４の各孔部３４１から露出する着色部の色が変わるようにしているが、更に多くのロック位置を設定して、第１歯車４５から第２歯車４３への伝達比を変えることにより、第１反射鏡部分３４の各孔部３４１から露出する着色部の面積を調整することができるようになる。これにより、出射光の色温度を更に細かく調整することができるようになる。
【０１１６】
次に、本発明の第３の実施の形態に係るストロボ装置について説明する。このストロボ装置は、前述した本発明の第２の実施の形態に係るストロボ装置３０と同様にズーム機構の動きを利用して第２反射鏡部分を移動させるものである。
【０１１７】
本発明の第３の実施の形態に係るストロボ装置は、図１８及び図１９に示すように構成されている。なお、図１８は、本発明の第３の実施の形態に係るストロボ装置内部の構造を示す斜視図であり、図１９は、ストロボ装置の構造を示す側断面図である。
【０１１８】
図１８及び図１９において、ストロボ装置５０は、第２の実施の形態に係るストロボ装置３０と同様に、キセノン放電管５２と、反射鏡を構成する第１反射鏡部分５４及び第２反射鏡部分５５とが前後動可能な可動台５６に保持されており、可動台５６の前後動範囲の前方にフレネルレンズ５１が配置されている。第１反射鏡部分５４には、所定の配列規則に従って配列された複数の孔部（図示されず）が形成されている。第２反射鏡部分は、第１反射鏡部分５４の裏面側に配置されてキセノン放電管５２の伸びる方向（方向Ａ：横方向）に直線移動可能となる。第２反射鏡部分５５には、第１反射鏡部分５４の複数の孔部のそれぞれに割当てられるように、緑色系の所定色にて着色された緑着色部５５１ｇと、赤色系の所定色にて着色された赤着色部５５１ｒとが着色されずに反射鏡面そのままの領域となる無着色部５５１ｓを挟むように形成されている。そして、緑着色部５５１ｇの配列規則（形状、相対的配列位置）、赤着色部５５１ｒの配列規則、及び無着色部５５１ｓの配列規則のそれぞれは、第１反射鏡部分５４の前記複数の孔部の配列規則と同じになっている。これにより、第２反射鏡部分５５を直線移動させた際に、常に第１反射鏡部分５４の複数の孔部から露出する着色部の色は同じになる。なお、赤着色部５５１ｒ及び緑着色部５５１ｇの表面はざらざらした梨地状に加工されている。
【０１１９】
可動台５６には、その後下方に張出すように支持ブラケット５６１が形成されている。支持ブラケット５６１の左右両壁の間に可動ブロック５７が配置され、この可動ブロック５７が前後方向（方向Ｂ）に摺動可能な状態で支持ブラケット５６１に支持されている。可動ブロック５７は、後述するロック機構によってロックされることにより可動台５６に一体化される。ストロボ装置５０の筐体（図示略）の底板６２には、前後方向（Ｂ方向）に伸びて相互に平行となるスライドレール６３、６４が形成されている。前記ロック機構によって可動台５６と一体化される可動ブロック５７がスライドレール６３、６４に摺動自在に係合している。可動台５６がフレネルレンズ５１に最も近づいた第１の位置となるときに、支持ブラケット５６１の両壁のそれぞれが突当たる位置に前ストッパ６２１が設けられ、可動台５６がフレネルレンズ５１から最も遠ざかった第２の位置となるときに、支持ブラケット５６１の両壁のそれぞれが突当たる位置に後ストッパ６２２が設けられている。これにより、支持ブラケット５６１が前ストッパ６２１に突当たる位置と、支持ブラケット５６１が後ストッパ６２２に突当たる位置との間で、可動ブロック５７がスライドレール６３、６４上を前後方向に摺動可能となる。即ち、可動ブロック５７と一体となる可動台５６が前記第１の位置と前記第２の位置との間で前後動可能となる。
【０１２０】
スライドレール６３、６４の間にそれらと平行にスクリューシャフト５８が配置されている。このスクリューシャフト５８が可動ブロック５７に螺合し、スクリューシャフト５８の正逆回転によって可動ブロック５７が前後方向に送られるようになっている。スクリューシャフト５８の端部にはそれと同軸にウォームホイール５９が固定されている。底板６２の所定位置にモータ６１が配置固定されており、モータ６１の回転軸に装着されたウォームギア６０がウォームホイール５９と噛み合っている。これにより、スクリューシャフト５８がモータ６１によって正逆回転されるようになる。
【０１２１】
前記した可動ブロック５７のロック機構は、次のように構成されている。
【０１２２】
図１８及び図１９とともに、可動ブロック５７を拡大して示す図２０〜図２２を参照するに、可動台５６には、その後方に張出すとともに支持ブラケット５６１の上方に位置するようにポケット部５６３が形成されている。また、可動ブロック５７には、矩形凹部５７１が形成され、可動台５６から張出したポケット部５６３が矩形凹部５７１内に配置されている。ポケット部５６３が配置される矩形凹部５７１内には前後方向に隙間が形成されており、可動ブラケット５７が前記隙間の範囲でポケット部５６３（可動台５６）に対して前後方向に相対移動できるようになっている。ポケット部５６３には、クリック突子６９がスプリング７０によって横方向に付勢された状態でその横壁から出没可能に収容されている。矩形凹部５７１のポケット部５６３のクリック突子６９が出没する横壁に対面した内壁に前後方向に並んで３つの係止凹部５７２ａ、５７２ｂ、５７２ｃが形成されている。ポケット部５６３から突出するクリック突子６９の先端部は、３つの係止凹部５７２ａ、５７２ｂ、５７２ｃにいずれかに嵌り込む。このように３つの係止凹部５７２ａ、５７２ｂ、５７２ｃのいずれかに嵌り込むクリック突子６９がコイルスプリング７０によって押圧されることにより、可動ブロック５７とポケット部５６３（可動台５６）とが比較的強固に連結される。即ち、可動ブロック５７がロックされた状態となって可動台５６と一体化される。このように、可動台５６のポケット部５６１に収容されたクリック突子６９及びコイルスプリング７０と可動ブロック５７の矩形凹部５７１の内壁に形成された係止凹部５７２ａ、５７２ｂ、５７２ｃによってロック機構が構成される。
【０１２３】
このロック機構によって可動ブロック５７がロックされ、可動ブロック５７と可動台５６とが比較的強固に連結された状態にあると、モータ６１により正逆回転されるスクリューシャフト５８によって送られる可動ブロック５７の前後動に伴って、可動台５６が前記第１の位置（広角）と前記第２の位置（望遠）との間で前後動するようになる。このように、モータ６１、スクリューシャフト５８、可動ブロック５７及び前記ロック機構（クリック突子６９、コイルスプリング７０及び矩形凹部５７１に形成された係止凹部５７２ａ、５７２ｂ、５７２ｃを含む）によりズーム機構が構成される。
【０１２４】
更に、可動ブロック５７の矩形凹部５７１とスクリューシャフト５８が貫通する部分を挟んで逆側に前後方向に伸びる断面矩形状の溝５７３が形成されている。溝５７３の横壁にラック５７４が形成されている。可動台５６には、その後部から可動ブロック５７の溝５７３の上方に張出すように軸受け部５６２が形成されている。軸受け部５６２は、第１歯車６８と第２歯車６６とを連結する連結軸６７を回動自在に支持する。第１歯車６８は、可動ブロック５７における溝５７３の内壁に形成されたラック５７４に噛み合っている。第２反射鏡部分５５の裏面に第２反射鏡部分５５の伸びる方向に伸びるラック６５が固定されており、このラック６５に第２歯車６６が噛み合っている。
【０１２５】
このストロボ装置５０では、ロックされている可動ブロック５７とともに可動台５６が移動して、支持ブラケット５６１の両壁が前ストッパ６２１に突当たって（第１の位置）可動台５６の移動が阻止される。この状態で更にスクリューシャフト５８が回転しようとすると、可動ブロック５７に働く送り力によって３つの係止凹部５７２ａ、５７２ｂ、５７２ｃのいずれかに嵌っているクリック突子６９が当該係止凹部の内周面からスプリングコイル７０の付勢に抗する力を受ける。この力によってクリック突子６９が係止凹部から抜けると、可動ブロック５７のロックが解除されて、可動台５６が停止した状態で可動ブロック５７（追加移動機構部：動作部材）だけがスクリューシャフト５８の送り作用によって支持ブラケット５６１内を移動する。この可動ブロック５７の移動により、クリック突子６９が隣の係止凹部まで移動して嵌り込む。例えば、このタイミングでスクリューシャフト５８の回転が停止されると、クリック突子６９のその新たな係止凹部に嵌り込んだ状態が維持されて可動ブロック５７が再びロックされた状態となる。前記タイミングでスクリューシャフト５８の回転が停止されなければ、クリック突子６９が更に隣の係止凹部に嵌り込むまで可動ブロック５７が送られ、そのタイミングでスクリューシャフト５８の回転が停止される。
【０１２６】
このように可動台５６が停止した状態においてクリック突子６９が次の係止凹部に嵌り込むまで可動ブロック５７（追加移動機構部）が移動するに際して、可動ブロック５７のラック５７４に噛み合った第１歯車６８が回動し、その回動が連結軸６７を介して第２歯車６６に伝達する（伝達機構）。これにより、第２歯車６６が回動し、この第２歯車６６の回動によるラック６５の直線移動により、第２反射鏡部分５５が横方向（方向Ａ）に直線移動する。
【０１２７】
第１歯車６８及び連結軸６７（伝達機構）を介して可動ブロック５７（追加動作機構部：動作部材）の動きによって第２反射鏡部分５５を動かす第２歯車６６及びラック６５が反射鏡移動機構を構成する。そして、可動ブロック５７（追加動作機構部）と反射鏡移動機構（第２歯車６６及びラック６５）との動作的な関係は、クリック突子６９が各係止凹部５７２ａ、５７２ｂ、５７２ｃから隣接する係止凹部まで１ピッチ分移動するだけの可動ブロック５７の移動により、第２反射鏡部分５５が、第１反射鏡部分５４の各孔部から露出する着色部（赤着色部５５１ｒ、緑着色部５５１ｇ及び無着色部５５１ｓのいずれか）が隣接する着色部に変わる距離だけ移動するように設定されている。
【０１２８】
なお、可動ブロック５７と一体となる可動台５６が、支持ブラケット５６１の両壁が後ストッパ６２２に突当たる第１の位置に達して可動台５６の移動が阻止されたときも、可動ブロック５７のロックが解除されて、前述したのと同様の動作により、第２反射鏡部分５５を直線移動させることができる。ただし、この場合、可動ブロック５７の移動方向が逆方向になるので、第１歯車６８、第２歯車６６の回動方向も逆になって、第２反射鏡部分５５の移動方向も逆になる。
【０１２９】
第３の実施の形態に係るストロボ装置５０の更に具体的な動作について図２０〜図２２を参照して説明する。
【０１３０】
例えば、クリック突子６９が３つの係止凹部５７２ａ、５７２ｂ、５７２ｃのうちの前方端に位置する係止凹部５７２ａに嵌った状態では、図２０に示すように、可動ブロック５７は、可動台５６の支持ブラケット５６１に対して最も後方に位置する。この状態で、ラック６５は、移動範囲の最も右側に位置して第２反射鏡部分５５の赤着色部５５１ｒが第１反射鏡部分５４の各孔部から露出する。
【０１３１】
例えば、クリック突子６９が３つの係止凹部５７２ａ、５７２ｂ、５７２ｃのうちの中央に位置する係止凹部５７２ｂに嵌った状態では、図２１に示すように、可動ブロック５７は、可動台５６の支持ブラケット５６１に対して中央に位置する。この状態で、ラック６５は、移動範囲の中央に位置して第２反射鏡部分５５の無着色部５５１ｓが第１反射鏡部分５４の各孔部から露出する。
【０１３２】
例えば、クリック突子６９が３つの係止凹部５７２ａ、５７２ｂ、５７２ｃのうちの後方端に位置する係止凹部５７２ｃに嵌った状態では、図２２に示すように、可動ブロック５７は、可動台５６の支持ブラケット５６１に対して最も前方に位置する。この状態で、ラック６５は、移動範囲の最も左側に位置して第２反射鏡部分５５の緑着色部５５１ｇが第１反射鏡部分５４の各孔部から露出する。
【０１３３】
このストロボ装置５０は、可動ブロック５７の可動台５６に対する相対位置、例えば、ポケット部５６３の矩形凹部５７１内での前後方向位置を検出する位置検出器からの情報に基づいて反射鏡の反射面の色分布が指定された色温度になるように第２反射鏡部分５５を移動させる動作制御系（図示略）を有している。この動作制御系は、第２の実施の形態に係るストロボ装置３０の場合と同様に（図１７Ａ〜図１７Ｃ参照）、指示された色温度に応じて露出させるべき着色部に対応した可動ブロック５７の位置と、現在の可動ブロック５７の位置とに基づいて、スクリューシャフト５８の回転方向（可動ブロック５７の移動方向）と可動台５６が停止した後におけるスクリューシャフト５８の回転量（可動ブロック５７の移動量：クリック突子６９の移動量）が決められる。
【０１３４】
例えば、現在、クリック突子６９が前端の係止凹部５７２ａに嵌り込む位置に可動ブロック５７があって、第１反射鏡部分５４の各孔部から赤着色部５５１ｒが露出している状態で（図２０に示す状態参照）、第１反射鏡部分５４の各孔部から無着色部５５１ｓを露出すべき色温度の指定がなされた場合、可動台５６がフレネルレンズ５１に最も近い第１の位置まで移動された後に、更に可動ブロック５７が前方（図１９における方向Ｂｆ）に向けてクリック突子６９が隣接する中央の係止凹部５７２ｂに嵌りこむまで移動させられる（図２１参照）。また、同じ現在の状態にあって、第１反射鏡部分５４の各孔部から緑着色部５５１ｇを露出すべき色温度の指定がなされた場合、可動台５６が前記第１の位置に移動された後に、更に可動ブロック５７が前方に向けてクリック突子６９が更に隣の後端の係止凹部５７２ｃに嵌りこむまで移動させられる（図２２参照）。
【０１３５】
例えば、現在、クリック突子６９が中央の係止凹部５７２ｂに嵌り込む位置に可動ブロック５７があって、第１反射鏡部分５４の各孔部から無着色部５５１ｓが露出している状態で（図２１参照）、第１反射鏡部分５４の各孔部から緑着色部５５１ｇを露出すべき色温度の指定がなされた場合、可動台５６が前記第１の位置まで移動された後に、更に可動ブロック５７が前方に向けてクリック突子６９が隣接する後端の係止凹部５７２ｃに嵌りこむまで移動させられる（図２２参照）。また、同じ現在の状態にあって、第１反射鏡部分５５の各孔部から赤着色部５５１ｒを露出すべき色温度の指定がなされた場合、可動台５６が逆にフレネルレンズ５１から最も遠ざかった第２の位置まで移動された後に、更に可動ブロック５７が後方（図１９における方向Ｂｒ）に向けてクリック突子６９が隣の前端の係止凹部５７２ａに嵌りこむまで移動させられる（図２０参照）。
【０１３６】
例えば、現在クリック突子６９が後端の係止凹部５７２ｃに嵌り込む位置に可動ブロック５７があって、第１反射鏡部分の各孔部から緑着色部５５１ｇが露出している状態で（図２２参照）、第１反射鏡部分５４の各孔部から無着色部５５１ｓを露出すべき色温度の指定がなされた場合、可動台５６が前記第２の位置まで移動された後に、更に可動ブロック５７が後方に向けてクリック突子６９が隣接する中央の係止凹部５７２ｂに嵌りこむまで移動させられる（図２１参照）。また、同じ現在の状態にあって、第１反射鏡部分５４の各孔部から赤着色部５５１ｒを露出すべき色温度の指定がなされた場合、可動台５６が前記第２の位置まで移動された後に、更に可動ブロック５７が、後方に向けてクリック突子６９が更に隣の前端の係止凹部５７２ａに嵌りこむまで移動させられる（図２０参照）。
【０１３７】
前述したようにして出射光の色温度調整が終了すると、フレネルレンズ５１に最も近い第１の位置またはフレネルレンズ５１から最も遠い第２の位置にある可動台５６を、スクリューシャフト５８を正逆回転させて、出射光が所望の広がりとなる位置まで移動させる。この状態で、キセノン放電管５２を発光させると、反射鏡での反射光が第１反射鏡部分５４の各孔部から露出する着色部（緑着色部５５１ｇ、赤着色部５５１ｒ、無着色部５５１ｓ）の色に基づいた色温度を有するようになり、この色温度の反射光とキセノン放電管５２からの直接光とが混ざってフレネルレンズ５１から前記所望の広がりをもったストロボ光として出射される。
【０１３８】
本発明の第３の実施の形態に係るストロボ装置５０によれば、第２の実施の形態に係るストロボ装置３０と同様に、出射光の色温度を調整することができるようになるとともに、それらフィルタや液晶等の部材が熱破損することなく、キセノン放電管５２から発生した光を有効に被写体に与えることができ、また、複数の色ずれをともなった影ができることを防止することもできる。更に、第２の実施の形態に係るストロボ装置３０と同様に、ズーム機構の一部を用い第２反射鏡部分５５を移動させる反射鏡移動機構を動作させるようにしているので、反射鏡移動機構を動作させるための機構を別途設ける必要がなく、ストロボ装置５０の大型化を極力抑えることができる。
【０１３９】
次に、本発明の第４の実施の形態に係るストロボ装置について説明する。このストロボ装置は、前述した第２の実施の形態に係るストロボ装置３０及び第３の実施の形態に係るストロボ装置５０と同様に、ズーム機構の動きを利用して第２反射鏡部分を移動させるものである。ただし、そのズーム機構は、第２の実施の形態及び第３の実施の形態に係るストロボ装置３０、５０のものと異なり、特許第３２６２２７７９号に開示されるズーム機構と同様のものとなっている。
【０１４０】
本発明の第４の実施の形態に係るストロボ装置は、図２３〜図２７に示すように構成されている。図２３及び図２４に示すように、このストロボ装置８０は、反射鏡８３の内側にキセノン放電管８２が配置され、反射鏡８３の開放する前面にフレネルレンズ８１が配置されている。キセノン放電管８２は、フレネルレンズ８１に最も近い第１の位置とフレネルレンズ８１から最も遠ざかった反射鏡８３の奥方の第２の位置との間で前後方向（方向Ｃ）に移動可能となっている。反射鏡８３の開放する両端には、第１サイド反射板ユニット８６及び第２サイド反射板ユニット８７が反射鏡８３の内外方向に回動可能に設けられている。これらキセノン放電管８１、第１サイド反射板ユニット８６及び第２サイド反射板ユニット８７は後述するズーム機構により同期して駆動されるようになっている。即ち、キセノン放電管８２が奥方の第２の位置から前方の第１の位置に向かって移動する際に、第１サイド反射板ユニット８６及び第２サイド反射板ユニット８７は、最も広がった状態から最も狭まった状態（図２３における破線参照）に回動し、キセノン放電管８２が逆に前方の第１の位置から奥方の第２の位置に向かって移動する際に、第１サイド反射板ユニット８６及び第２サイド反射板ユニット８７は、最も狭まった状態から最も広がった状態に回動するようになっている。
【０１４１】
そして、キセノン放電管８２が前方の第１の位置となって第１サイド反射板ユニット８６及び第２サイド反射板ユニット８７が狭まった状態となるときに、反射鏡８３での反射光（図２４における光線Ｌ５参照）及び両サイド反射板ユニット８６、８７での反射光（図２３における光線Ｌ３参照）が最も広がってフレネルレンズ８１から出射する。一方、キセノン放電管８２が後方の第２の位置となって第１サイド反射板ユニット８６及び第２サイド反射板ユニット８７が広がった状態となるときに、反射鏡８３での反射光（図２４における光線Ｌ６参照）及び両サイド反射鏡ユニット８６、８７での反射光（図２３における光線Ｌ４参照）が最も絞られてフレネルレンズ８１から出射する。
【０１４２】
ストロボ装置８０の更に詳細な構造を図２５〜図２７を参照して説明する。
【０１４３】
ストロボ装置８０の構造を分解して示す図２５を参照するに、前述した反射鏡８３は、第１反射鏡部分８４と、第１反射鏡部分８４の裏側に配置されてキセノン放電管８２の伸びる方向（方向Ａ）に直線移動可能となる第２反射鏡部分８５とを有している。第１反射鏡部分８４には、所定の配列規則に従って配列された複数の孔部８４１が形成され、第２反射鏡部分８５には、第１反射鏡部分８４の複数の孔部８４１のそれぞれに割当てられるように、緑色系の所定色にて着色された緑着色部８５１ｇと、赤色系の所定色にて着色された赤着色部８５１ｒとが着色されずに反射鏡面そのままの領域となる無着色部８５１ｓを挟むように形成されている。そして、緑着色部８５１ｇの配列規則（形状、相対的配列位置）、赤着色部８５１ｒの配列規則、及び無着色部８５１ｓの配列規則のそれぞれは、第１反射鏡部分８４の前記複数の孔部８４１の配列規則と同じとなって、第２反射鏡部分８５を直線移動させた際に、常に第１反射鏡部分８４の複数の孔部８４１から露出する着色部の色は同じなるようになっている。なお、赤着色部８５１ｒ及び緑着色部８５１ｇの表面はざらざらした梨地状に加工されている。
【０１４４】
第１サイド反射板ユニット８６は、反射板８６１と支持部８６２とを有し、支持部８６２が軸ｐ１を中心に回動（方向Ｑ１）することにより、反射板８６１が反射鏡８３（８４、８５）の内外方向（方向Ｄ１）に移動するようになっている。第２サイド反射板ユニット８７は、反射板８７１と支持部８７２を有し、支持部８７２が軸ｐ２を中心に回動（方向Ｑ２）することにより、反射板８６１が反射鏡８３（８４、８５）の内外方向（方向Ｄ２）に移動するようになっている。なお、反射板８６１、８６２は、反射鏡８３内に設けられるキセノン放電管８２に接触しないように切欠きが形成されている。また、キセノン放電管８２は、保持ユニット８８に固定されており、反射鏡８３（８４、８５）内に配置された状態で、保持ユニット８８が軸ｐ３を中心に揺動（方向Ｒ）することにより、第１の位置と第２の位置との間で前後動するようなっている。
【０１４５】
第１サイド反射板ユニット８６の支持部８６１にはカムピン８６３が、第２サイド反射板ユニット８７の支持部８７１にはカムピン８７３が突出するように形成されている。また、第２反射鏡部分８５の裏面には左右に配置された２つのカムピン８５２、８５３が突出するように形成され、更に、キセノン放電管８２が固定される保持ユニット８８にもカムピン８８１が形成されている。
【０１４６】
図２５とともに、ストロボ装置８０の色温度調整に係る主要部分の組立状態を示す図２６及び第２反射鏡部分８５を移動させるための機構を拡大して示す図２７を参照して、ズーム機構及び第２反射鏡部分８５を移動させる（色温度調整）ための機構について説明する。
【０１４７】
第２反射鏡部分８５の背後にカムユニット９２が配置されるとともにカムユニット９２と第２反射鏡部分８５との間にカム板９３が配置されている。カムユニット９２は、上下方向（方向Ｅ）に伸びる互いに平行となる２つのレール９７、９８に摺動自在に係合している。カムユニット９２のカム面には第１カム溝９２１、第２カム溝９２２及び第３カム溝９２３が形成されている。第１カム溝９２１には、第１サイド反射板ユニット８６のカムピン８６３が摺動自在に係合し、第２カム溝９２２には、第２サイド反射板ユニット８７のカムピン８７３が摺動自在に係合し、更に、第３カム溝９２３には、キセノン放電管８２が固定された保持ユニット８８のカムピン８８１が摺動自在に係合している。上下方向（方向Ｅ）に移動可能なカムユニット９２の上限位置に上ストッパ９９が設けられるともに、その下限位置にストッパ１００が設けられている。このような構成により、カムユニット９２がレール９７、９８に沿って上ストッパ９９と下ストッパ１００との間で上下方向（方向Ｅ）に移動すると、各カムピン８６１、８７１、８８１が対応するカム溝９２１、９２２、９２３にて案内され、それによって、前述したように（図２３及び図２４参照）、キセノン放電管８２が第１の位置と第２の位置との間で前後動（保持ユニット８８が揺動）するとともに、第１サイド反射板ユニット８６及び第２サイド反射板ユニット８７が最も広がった状態と最も狭まった状態との間で回動する。
【０１４８】
更に、カム板９３には、縦方向（方向Ｅ）に伸びる２つの縦カムスリット９３２、９３３が形成されるとともに、横方向（方向Ａ）に伸びる２つの横カムスリット９３４、９３５が形成されている。そして、第２反射鏡部分８５の裏面から突出した２つのカムピン８５２、８５３が縦カムスリット９３２、９３３に摺動自在に嵌りこんでいる。カムユニット９２には、２つのカムピン９２４及び９２５が突出するように形成されており、これら２つのカムピン９２４、９２５がカム板９３の横カムスリット９３４、９３５に摺動自在に嵌り込んでいる。
【０１４９】
２つのレール９７、９８の間にカムユニット９２を貫通するようにスクリューシャフト９０が配置されている。このスクリューシャフト９０は、モータ９１によって正逆回転されるようになっている。第１歯車９６と第２歯車９４とが連結軸９５によって連結されており（図２５参照）、第１歯車９６がスクリューシャフト９０に噛み合い、連結軸９５がカムユニット９２を貫通して第２歯車９４がカムユニット９２の表面に表れるように配置されている（図２６参照）。そして、連結軸９５は、カムユニット９２を貫通する部分にて回動自在に支持されている。
【０１５０】
カムユニット９２には第２歯車９４に対向してボックス部１０１が形成されている。ボックス部１０１には、クリック突子１０２がコイルスプリング１０３によって第２歯車９４に向けて付勢された状態で収容されている。第２歯車９４のボックス部１０１に対向する部分には、３つの係止凹部９４４、９４５、９４６が並んで形成されている。ボックス部１０１から突出するクリック突子１０２の先端部は、３つの係止凹部９４４、９４５、９４６のいずれかに嵌り込む。このように３つの係止凹部９４４、９４５、９４６のいずれかに嵌り込むクリック突子１０２がコイルスプリング１０３によって押圧されることにより、第２歯車９４とカムユニット９２（ボックス部１０１）とが比較的強固に連結されて、第２歯車９４及びそれに連結軸９５によって連結される第１歯車９６がロックされた状態となる。
【０１５１】
また、カム板９３の第２歯車９４に対向した面にはラックが形成されており、第２歯車９４がそのラックに噛み合っている。これにより、前記ロック状態の解除された第２歯車９４が回動することによりカム板９３が横方向（方向Ａ）に移動する。このカム板９３の横方向に移動により、横カムスリット９３４、９３５にカムピン９２４、９２５が嵌り込んでいるカムユニット９２の動きに影響を与えることなく、縦カムスリット９３２、９３４にカムピン８５２、８５３が嵌り込んだ第２反射鏡部分８５が横方向（方向Ａ）に直線移動するようになる。
【０１５２】
前述したような構造のストロボ装置８０では、カムユニット９２のブロック部１０１に収容されたクリック突子１０２及びコイルスプリング１０２と第２歯車９４に形成された係止凹部９４４、９４５、９４６によってロック機構が形成される。そして、このロック機構によって第１歯車９６（第２歯車９４）がロックされて、第１歯車９６がカムユニット９２に比較的強固に連結状態にあると、モータ９１により正逆回転されるスクリューシャフト９０によって第１歯車９６が回転することなく上下方向（Ｅ方向）に送られる。連結軸９５及び第２歯車９４と一体となる第１歯車９６の上下動によりカムユニット９２がレール９７、９８に沿って上下動し、このカムユニット９２の上下動によって、前述したように、キセノン放電管８２の前後動作、及び第１サイド反射板８６及び第２サイド反射板８７の回動動作、即ちズーム動作がなされる。このように、モータ９１、スクリューシャフト９０、連結軸９５で連結された第１歯車９６及び第２歯車９４、及びロック機構（クリック突子１０２、コイルスプリング１０３及び第２歯車９４に形成された係止凹部９４４、９４５、９４６）によりズーム機構が構成される。
【０１５３】
更に、ロックされている第１歯車９６及び第２歯車９４とともにカムユニット９２が移動して、例えば、上ストッパ９９に突当たると、第１歯車９６が回動を始める。この状態で、更にスクリューシャフト９０が回転しようとすると、第１歯車９６に働く回転力が連結軸９５を介して第２歯車９４に伝達する。この第２歯車９４に作用する回転力によって３つの係止凹部９４４、９４５、９４６のいずれかに嵌っているクリック突子１０２が当該係止凹部の内周面からコイルスプリング１０３の付勢に抗する力を受ける。この力によってクリック突子１０２が係止凹部から抜けると、第２歯車９４（第１歯車９６）のロックが解除されてスクリューシャフト９０から受ける回転力によって第１歯車９６及びそれに同軸となる第２歯車９４が回動し、クリック突子１０２が隣の係止凹部に、あるいは、さらに隣の係止凹部に嵌り込む。
【０１５４】
このようにカムユニット９２が停止した状態で、即ち、キセノン放電管８２、第１サイド反射板ユニット８６及び第２サイド反射板ユニット８７の動きに寄与することなく、ロックが解除された第１歯車９６（追加動作機構部：動作部材）が、第２歯車９４とともにクリック突子１０２が次の係止凹部に嵌り込むまで回動する。このとき、第２歯車９４の回動力をラックを介して受けるカム板９３が横方向（方向Ａ）に移動し、カム板９３の縦カムスリット９３２、９３３にカムピン８５２、８５３が嵌り込む第２反射鏡部分８５が横方向（Ａ方向）に直線移動する。なお、ロック解除状態での第１歯車９６の回転により動作する連結軸９５、第２歯車９４及びカム板９３は、第１歯車９６（追加動作機構部）の動きを伝達する伝達機構及び第２反射鏡部分８５を移動させる反射鏡移動機構に相当する。
【０１５５】
なお、第１の実施の形態に係るストロボ装置１０と同様に、第１歯車９６がスクリューシャフト９０に噛み合う歯及び第２歯車９４がラックに噛み合う歯と、第２反射鏡部分８５の位置、即ち、第１反射鏡部分８４の各孔部８４１から露出する着色部（赤着色部８５１ｒ、無着色部８５１ｓ、緑着色部８５１ｇ）との関係が予め定められている。
【０１５６】
例えば、クリック突子１０２が３つの係止凹部９４４、９４５、９４６のうちの中央の係止凹部９４５に嵌った状態では（図２７参照）、第１歯車９６の歯９６２がスクリューシャフト９０に噛み合うとともに第２歯車９４の歯９４２がカム板９３のラックに噛み合う。この状態で、カム板９３が移動範囲において中央に位置し、第２反射鏡部分８５の無着色部８５１ｓが第１反射鏡部分８４の各孔部８４１から露出する。
【０１５７】
例えば、クリック突子１０２が３つの係止凹部９４４、９４５、９４６のうち一方端の係止凹部９４６に嵌った状態では、第１歯車９６の歯９６１がスクリューシャフト９０に噛み合うとともに第２歯車９４の歯９４１がカム板９３のラックに噛み合う。この状態で、カム板９３が移動範囲において最も右側に位置し、第２反射鏡部分８５の赤着色部８５１ｒが第１反射鏡部分８４の各孔部８４１から露出する。
【０１５８】
例えば、クリック突子１０２が３つの係止凹部９４４、９４５、９４６のうち他方端の係止凹部９４４に嵌った状態では、第１歯車９６の歯９６３がスクリューシャフト９０に噛み合うとともに第２歯車９４の歯９４３がカム板９３のラックに噛み合う。この状態で、カム板９３が移動範囲において最も左側に位置し、第２反射鏡部分８５の緑着色部８５１ｇが第１反射鏡部分８４の各孔部８４１から露出する。
【０１５９】
また、第２及び第３の実施の形態に係るストロボ装置３０、５０の場合と同様（図１７Ａ〜図１７Ｃ参照）に、指示された色温度に応じて露出させるべき着色部に対応したカム板９３（第１歯車９６、第２歯車９４）の位置と、現在のカム板９３の位置とに基づいて、スクリューシャフト９０の回転方向（カム板９３の移動方向）とカムユニット９２が停止した後におけるスクリューシャフト９０の回転量（カム板９３の移動量：クリック突子１０２の移動量）が決められる。このようにカム板９３の位置を制御することにより第２反射鏡部分８５を移動させて第１反射鏡部分８４の各孔部８４１から露出される着色部（赤着色部８５１ｒ、無着色部８５１ｓ、緑着色部８５１ｇ）が切替えられ、その結果として、出射する光の色温度が制御される。
【０１６０】
本発明の第４の実施の形態に係るストロボ装置８０によれば、第２及び第３の実施の形態に係るストロボ装置３０、５０と同様に、出射光の色温度を調整することができるようになるとともに、それらフィルタや液晶等の部材が熱破損することなく、キセノン放電管８２から発生した光を有効に被写体に与えることができ、また、複数の色ずれをともなった影ができることを防止することもできる。更に、第２及び第３の実施の形態に係るストロボ装置３０、５０と同様に、ズーム機構の一部を用い第２反射鏡部分８５を移動させる反射鏡移動機構を動作させるようにしているので、反射鏡移動機構を動作させるための機構を別途設ける必要がなく、ストロボ装置８０の大型化を極力抑えることができる。
【産業上の利用可能性】
【０１６１】
以上、説明したように、本発明に係るストロボ装置は、閃光源から発生した光を所定の色温度で熱による破壊や、色ずれを起こすことなく有効に被写体を照明することができるものである。また、従来のズーム機構と組み合わせることにより、モータなどの機構部品を共用することが出来るので被写体の照明環境に合わせてストロボ光の色温度を自動的に合わせることが出来るストロボ装置を安価に提供できるので有用である。
【符号の説明】
【０１６２】
１０、３０、５０、８０  ストロボ装置
１１  発光窓
１２  キセノン放電管
１３  反射鏡
１４  第１反射鏡部分
１５  第２反射鏡部分
１６  モータ
１７  スクリューシャフト
１８  ナット
１９  取り付け部
２０  ブラシ
２１  抵抗体
２２  スイッチ
２３  色温度センサ
２４  入力処理回路
２５  色温度調節回路
２６  カメラ
３１  フレネルレンズ
３６  可動台
３９  筐体
４０  シャフト
４２  ラック
４３  第２歯車
４４  回転軸
４５  第１歯車
４６  クリック突子
４７  コイルバネ
５７  可動ブロック
８６  第１サイド反射板ユニット
８７  第２サイド反射板ユニット
９２  カムユニット
９３  カム板
９９  上ストッパ
１００  下ストッパ
【図１】
2010197614.tif 000003
【図２】
2010197614.tif 000004
【図３】
2010197614.tif 000005
【図４】
2010197614.tif 000006
【図５】
2010197614.tif 000007
【図６】
2010197614.tif 000008
【図７】
2010197614.tif 000009
【図８】
2010197614.tif 000010
【図９】
2010197614.tif 000011
【図１０】
2010197614.tif 000012
【図１１】
2010197614.tif 000013
【図１２】
2010197614.tif 000014
【図１３】
2010197614.tif 000015
【図１４】
2010197614.tif 000016
【図１５】
2010197614.tif 000017
【図１６】
2010197614.tif 000018
【図１７Ａ】
2010197614.tif 000019
【図１７Ｂ】
2010197614.tif 000020
【図１７Ｃ】
2010197614.tif 000021
【図１８】
2010197614.tif 000022
【図１９】
2010197614.tif 000023
【図２０】
2010197614.tif 000024
【図２１】
2010197614.tif 000025
【図２２】
2010197614.tif 000026
【図２３】
2010197614.tif 000027
【図２４】
2010197614.tif 000028
【図２５】
2010197614.tif 000029
【図２６】
2010197614.tif 000030
【図２７】
2010197614.tif 000031